(57)【要約】      （修正有）【課題】気流を送風する装置において，紐以外の布製品に取り付け可能な取付部と送風部とを備えた装置を提供する。【解決手段】装置は，衣服，シャツ，タオル，ネッカチーフ，スカーフ，頭巾，バンダナ，水を含ませるための布製品，および吸水性ポリマーを格納した布製品からなる群から選ばれた布製品に取り付けることができる取付部６２２と，取付部によって支持される送風部３０１と，を備え，人体に着けられた前記布製品によって取付部が支持された状態で送風部が気流を送風する装置である。よって，この装置は紐以外の布製品に取り付けることができる効果を有する。【選択図】図２
2020037933.tif 000002
【特許請求の範囲】
【請求項１】
衣服，シャツ，タオル，ストール，
ネッカチーフ，スカーフ，頭巾，バンダナ，
水を含ませるための布製品，および
吸水性ポリマーを格納した布製品
からなる群から選ばれた布製品に取り付け可能な取付部と，
前記取付部によって支持される送風部と，
を備え，
人体に着けられた前記布製品
によって前記取付部が支持された状態で
前記送風部が気流を送風する
装置。
【請求項２】
前記取付部が有する少なくとも１つの風向調整部をさらに備え，
前記布製品は
衣服，および
シャツ
からなる群から選ばれた布製品であって，
前記送風部は前記気流を前記風向調整部へ送風でき，
前記送風部は前記気流を前記取付部の外側部分へ送風でき，かつ，
前記人体に着けられた前記布製品
によって前記取付部が支持された前記状態で
前記風向調整部が前記気流を前記布製品の内側へ導く
請求項１に記載の装置。
【請求項３】
前記取付部が有する少なくとも１つの風向調整部をさらに備え，
前記布製品は
衣服，および
シャツ
からなる群から選ばれた布製品であって，
前記送風部は前記気流を前記風向調整部へ送風でき，
前記人体に着けられた前記布製品
によって前記取付部が支持された前記状態で
前記送風部は前記気流を前記布製品の外側表面へ送風でき，かつ，
前記人体に着けられた前記布製品
によって前記取付部が支持された前記状態で
前記風向調整部が前記気流を前記布製品の内側へ導く
請求項１に記載の装置。
【請求項４】
前記取付部が有する少なくとも１つの風向調整部と，
前記取付部に備えられた保持部と，
前記保持部と前記送風部との間に設けられた可動部と，
をさらに備え，
前記布製品は
衣服，および
シャツ
からなる群から選ばれた布製品であって，
前記保持部は前記布製品を保持することができ，  
前記可動部を動かすことによって
前記気流の向きが調整可能であり，かつ，
前記人体に着けられた前記布製品
によって前記取付部が支持された前記状態で
前記風向調整部が前記気流を前記布製品の内側へ導く
請求項１に記載の装置。
【請求項５】
前記取付部が有する少なくとも１つの風向調整部と，
前記取付部が有する少なくとも１つの接触部と，
をさらに備え，
前記布製品は
衣服，および
シャツ
からなる群から選ばれた布製品であって，
前記人体に着けられた前記布製品
によって前記取付部が支持された前記状態で
前記風向調整部が前記気流を前記布製品の内側へ導き，かつ，
前記人体の表面に前記接触部が接触した状態で
前記風向調整部によって導かれた前記気流が
前記取付部と前記表面との間を通過する
請求項１に記載の装置。
【請求項６】
前記取付部が有する少なくとも１つの風向調整部と，
前記取付部が有する少なくとも１つの接触部と，
をさらに備え，
前記布製品は
衣服，および
シャツ
からなる群から選ばれた布製品であって，
前記人体に着けられた前記布製品
によって前記取付部が支持された前記状態で
前記風向調整部が前記気流を前記布製品の内側へ導き，かつ，
前記人体に着けられた別の布製品の表面
に前記接触部が接触した状態で
前記風向調整部によって導かれた前記気流が
前記取付部と前記表面との間を通過する
請求項１に記載の装置。
【請求項７】
前記布製品は
タオル，ストール，ネッカチーフ，スカーフ，バンダナ，
水を含ませるための布製品，および
吸水性ポリマーを格納した布製品
からなる群から選ばれた布製品であって，
前記布製品が前記取付部から着脱可能であり，
前記送風部が前記取付部から着脱可能であり，かつ，
前記人体の首に着けられた前記布製品
によって前記取付部が支持された状態で
前記送風部が前記気流を前記布製品へ送風できる
請求項１に記載の装置。
【請求項８】
前記布製品は
タオル，ストール，ネッカチーフ，スカーフ，バンダナ，
水を含ませるための布製品，および
吸水性ポリマーを格納した布製品
からなる群から選ばれた布製品であって，
前記人体の首に着けられた前記布製品
によって支持された前記取付部
によって支持された前記送風部が
前記布製品に接触していない状態で
前記送風部が前記気流を前記布製品へ送風できる
請求項１に記載の装置。
【請求項９】
前記取付部と前記送風部との間に設けられた可動部をさらに備え，
前記布製品は
タオル，ストール，ネッカチーフ，スカーフ，バンダナ，
水を含ませるための布製品，および
吸水性ポリマーを格納した布製品
からなる群から選ばれた布製品であって，
前記布製品が前記取付部から着脱可能であり，
前記可動部を動かすことによって
前記気流の向きが調整可能であり，かつ，
前記人体の首に着けられた前記布製品
によって支持された前記取付部
によって支持された前記送風部が
前記人体に着けられた衣服に接触していない状態で
前記送風部が前記気流を前記布製品へ送風できる
請求項１に記載の装置。
【請求項１０】
前記布製品は
タオル，ストール，ネッカチーフ，スカーフ，頭巾，バンダナ，
水を含ませるための布製品，および
吸水性ポリマーを格納した布製品
からなる群から選ばれた布製品であって，
前記布製品が前記取付部から着脱可能であり，かつ，
前記人体の頭部に着けられた前記布製品
によって前記取付部が支持された状態で
前記布製品と前記取付部とを互いに逆方向へ引っ張ることにより
前記布製品と前記取付部とを相互にスライドさせることによって
前記送風部と前記人体の前記頭部との間の距離が調整可能である
請求項１に記載の装置。
【請求項１１】
前記布製品は
タオル，ストール，ネッカチーフ，スカーフ，頭巾，バンダナ，
水を含ませるための布製品，および
吸水性ポリマーを格納した布製品
からなる群から選ばれた布製品であって，
前記布製品が前記取付部から着脱可能であり，かつ，
前記取付部の左側部分と右側部分が
前記布製品の左側端部と右側端部をそれぞれ保持する
請求項１に記載の装置。
【請求項１２】
少なくとも１つの穴形状を形成する穴形状形成部をさらに備え，
前記布製品は
タオル，ストール，ネッカチーフ，スカーフ，バンダナ，
水を含ませるための布製品，および
吸水性ポリマーを格納した布製品
からなる群から選ばれた布製品であって，かつ，
前記人体の首に着けられた前記布製品が
前記穴形状形成部を通過している状態で
前記送風部が前記気流を前記布製品へ送風できる
請求項１に記載の装置。
【請求項１３】
前記布製品に水を含ませてから前記人体に着けられた前記布製品
によって前記取付部が支持された状態で
前記水が前記布製品から前記送風部へ流入することが防止される
請求項１に記載の装置。
【請求項１４】
前記取付部に備えられた保持部と，
前記保持部と前記送風部との間に設けられた
スライド可能な可動部と，
をさらに備え，
前記布製品は
衣服，および
シャツ，
からなる群から選ばれた布製品であって，
前記保持部は前記布製品を保持することができ，かつ，
前記人体に着けられた前記布製品の縁
によって前記取付部が支持された状態で
前記可動部をスライドさせることによって
前記送風部の高さが調整可能である
請求項１に記載の装置。
【請求項１５】
請求項２から１４のいずれかに記載の装置に用いる前記取付部からなる取付装置。
【発明の詳細な説明】
【技術分野】
【０００１】
本開示は，気流を送風する装置および取付装置に関するものである。
【背景技術】
【０００２】
特許文献１に記載の送風装置は，輪状の紐に着脱することができ，該紐によって吊持される。
【先行技術文献】
【特許文献】
【０００３】
【特許文献１】特開２０１４−５８９１５号公報
【発明の概要】
【発明が解決しようとする課題】
【０００４】
特許文献１に記載の送風装置には，該装置を紐以外の布製品に取り付けることが困難であるという欠点がある。よって，紐以外の布製品に取り付け可能な取付部と送風部とを備えた装置を提供することが目的である。
【課題を解決するための手段】
【０００５】
請求項１は「
衣服，シャツ，タオル，ストール，
ネッカチーフ，スカーフ，頭巾，バンダナ，
水を含ませるための布製品，および
吸水性ポリマーを格納した布製品
からなる群から選ばれた布製品に取り付け可能な取付部と，
前記取付部によって支持される送風部と，
を備え，
人体に着けられた前記布製品
によって前記取付部が支持された状態で
前記送風部が気流を送風する
装置」である。
【０００６】
請求項２は「
前記取付部が有する少なくとも１つの風向調整部をさらに備え，
前記布製品は
衣服，および
シャツ
からなる群から選ばれた布製品であって，
前記送風部は前記気流を前記風向調整部へ送風でき，
前記送風部は前記気流を前記取付部の外側部分へ送風でき，かつ，
前記人体に着けられた前記布製品
によって前記取付部が支持された前記状態で
前記風向調整部が前記気流を前記布製品の内側へ導く
請求項１に記載の装置」である。
【０００７】
請求項３は「
前記取付部が有する少なくとも１つの風向調整部をさらに備え，
前記布製品は
衣服，および
シャツ
からなる群から選ばれた布製品であって，
前記送風部は前記気流を前記風向調整部へ送風でき，
前記人体に着けられた前記布製品
によって前記取付部が支持された前記状態で
前記送風部は前記気流を前記布製品の外側表面へ送風でき，かつ，
前記人体に着けられた前記布製品
によって前記取付部が支持された前記状態で
前記風向調整部が前記気流を前記布製品の内側へ導く
請求項１に記載の装置」である。
【０００８】
請求項４は「
前記取付部が有する少なくとも１つの風向調整部と，
前記取付部に備えられた保持部と，
前記保持部と前記送風部との間に設けられた可動部と，
をさらに備え，
前記布製品は
衣服，および
シャツ
からなる群から選ばれた布製品であって，
前記保持部は前記布製品を保持することができ，  
前記可動部を動かすことによって
前記気流の向きが調整可能であり，かつ，
前記人体に着けられた前記布製品
によって前記取付部が支持された前記状態で
前記風向調整部が前記気流を前記布製品の内側へ導く
請求項１に記載の装置」である。
【０００９】
請求項５は「
前記取付部が有する少なくとも１つの風向調整部と，
前記取付部が有する少なくとも１つの接触部と，
をさらに備え，
前記布製品は
衣服，および
シャツ
からなる群から選ばれた布製品であって，
前記人体に着けられた前記布製品
によって前記取付部が支持された前記状態で
前記風向調整部が前記気流を前記布製品の内側へ導き，かつ，
前記人体の表面に前記接触部が接触した状態で
前記風向調整部によって導かれた前記気流が
前記取付部と前記表面との間を通過する
請求項１に記載の装置」である。
【００１０】
請求項６は「
前記取付部が有する少なくとも１つの風向調整部と，
前記取付部が有する少なくとも１つの接触部と，
をさらに備え，
前記布製品は
衣服，および
シャツ
からなる群から選ばれた布製品であって，
前記人体に着けられた前記布製品
によって前記取付部が支持された前記状態で
前記風向調整部が前記気流を前記布製品の内側へ導き，かつ，
前記人体に着けられた別の布製品の表面
に前記接触部が接触した状態で
前記風向調整部によって導かれた前記気流が
前記取付部と前記表面との間を通過する
請求項１に記載の装置」である。
【００１１】
請求項７は「
前記布製品は
タオル，ストール，ネッカチーフ，スカーフ，バンダナ，
水を含ませるための布製品，および
吸水性ポリマーを格納した布製品
からなる群から選ばれた布製品であって，
前記布製品が前記取付部から着脱可能であり，
前記送風部が前記取付部から着脱可能であり，かつ，
前記人体の首に着けられた前記布製品
によって前記取付部が支持された状態で
前記送風部が前記気流を前記布製品へ送風できる
請求項１に記載の装置」である。
【００１２】
請求項８は「
前記布製品は
タオル，ストール，ネッカチーフ，スカーフ，バンダナ，
水を含ませるための布製品，および
吸水性ポリマーを格納した布製品
からなる群から選ばれた布製品であって，
前記人体の首に着けられた前記布製品
によって支持された前記取付部
によって支持された前記送風部が
前記布製品に接触していない状態で
前記送風部が前記気流を前記布製品へ送風できる
請求項１に記載の装置」である。
【００１３】
請求項９は「
前記取付部と前記送風部との間に設けられた可動部をさらに備え，
前記布製品は
タオル，ストール，ネッカチーフ，スカーフ，バンダナ，
水を含ませるための布製品，および
吸水性ポリマーを格納した布製品
からなる群から選ばれた布製品であって，
前記布製品が前記取付部から着脱可能であり，
前記可動部を動かすことによって
前記気流の向きが調整可能であり，かつ，
前記人体の首に着けられた前記布製品
によって支持された前記取付部
によって支持された前記送風部が
前記人体に着けられた衣服に接触していない状態で
前記送風部が前記気流を前記布製品へ送風できる
請求項１に記載の装置」である。
【００１４】
請求項１０は「
前記布製品は
タオル，ストール，ネッカチーフ，スカーフ，頭巾，バンダナ，
水を含ませるための布製品，および
吸水性ポリマーを格納した布製品
からなる群から選ばれた布製品であって，
前記布製品が前記取付部から着脱可能であり，かつ，
前記人体の頭部に着けられた前記布製品
によって前記取付部が支持された状態で
前記布製品と前記取付部とを互いに逆方向へ引っ張ることにより
前記布製品と前記取付部とを相互にスライドさせることによって
前記送風部と前記人体の前記頭部との間の距離が調整可能である
請求項１に記載の装置」である。
ただし，前記頭部とは前記人体の首から上の部分であり，前記頭部は前記首を含む。
【００１５】
請求項１１は「
前記布製品は
タオル，ストール，ネッカチーフ，スカーフ，頭巾，バンダナ，
水を含ませるための布製品，および
吸水性ポリマーを格納した布製品
からなる群から選ばれた布製品であって，
前記布製品が前記取付部から着脱可能であり，かつ，
前記取付部の左側部分と右側部分が
前記布製品の左側端部と右側端部をそれぞれ保持する
請求項１に記載の装置」である。
【００１６】
請求項１２は「
少なくとも１つの穴形状を形成する穴形状形成部をさらに備え，
前記布製品は
タオル，ストール，ネッカチーフ，スカーフ，バンダナ，
水を含ませるための布製品，および
吸水性ポリマーを格納した布製品
からなる群から選ばれた布製品であって，かつ，
前記人体の首に着けられた前記布製品が
前記穴形状形成部を通過している状態で
前記送風部が前記気流を前記布製品へ送風できる
請求項１に記載の装置」である。
【００１７】
請求項１３は「
前記布製品に水を含ませてから前記人体に着けられた前記布製品
によって前記取付部が支持された状態で
前記水が前記布製品から前記送風部へ流入することが防止される
請求項１に記載の装置」である。
【００１８】
請求項１４は「
前記取付部に備えられた保持部と，
前記保持部と前記送風部との間に設けられた
スライド可能な可動部と，
をさらに備え，
前記布製品は
衣服，および
シャツ，
からなる群から選ばれた布製品であって，
前記保持部は前記布製品を保持することができ，かつ，
前記人体に着けられた前記布製品の縁
によって前記取付部が支持された状態で
前記可動部をスライドさせることによって
前記送風部の高さが調整可能である
請求項１に記載の装置」である。
請求項１５は「請求項２から１４のいずれかに記載の装置に用いる前記取付部からなる取付装置」である。
【発明の効果】
【００１９】
請求項１から１４のいずれかに記載の装置は「衣服，シャツ，タオル，ストール，ネッカチーフ，スカーフ，頭巾，バンダナ，水を含ませるための布製品，および，吸水性ポリマーを格納した布製品からなる群から選ばれた布製品に取り付け可能な取付部と送風部とを備えた装置」である。よって，課題が解決される。
【図面の簡単な説明】
【００２０】
【図１】人体６０９に着けられた布製品である上着６２０の襟６２１によって取付部６２２が支持された状態で，取付部６２２によって支持された送風部３０１が気流を送風する装置の図である。（実施例１，３）
【図２】腕６２３とウイング６２４とを備える取付部６２２と，送風部３０１と，を備える扇風機３００の図である。（実施例１，２）
【図３】上着６２０を保持する保持部６２３である腕６２３を備える取付部６２２のウイング６２４と，ヘルメット６４０を保持する取付部６４２のウイング６４４と，の両方に対して送風部３０１が送風する気流が当たることを示す図である。送風部３０１から送風される気流を示す矢印はグレーに塗られている。（実施例１，３）
【図４】上着６２０の襟６２１を保持する保持部６２３である腕６２３の内側部分６２７と，人体６０９と，の間にできる空洞６３３を送風部３０１から送風された気流が通過することを示す背面及び右側面図である。送風部３０１から送風される気流を示す矢印はグレーに塗られている。（実施例１）
【図５】上着６２０の襟６２１を保持する取付部６２２の腕６２３の内側部分６２７と，人体６０９と，の間にできる空洞６３３を送風部３０１から送風された気流が通過することを示す背面及び底面図である。送風部３０１から送風される気流を示す矢印はグレーに塗られている。（実施例１）
【図６】ウイング６２４に向けて送風された気流が空洞６３３を通過し，隙間６３４又は穴６３７を通過し，上着６２０の内側へ流出することを示す図である。図６には上着６２０は描かれていないが，取付部６２２は上着６２０の襟６２１を保持している。上着６２０の内側における気流を示す矢印はグレーに塗られている。（実施例１）
【図７】取付部６２２の正面図である。（実施例１−４）
【図８】取付部６２２の左面図である。（実施例１−４）
【図９】取付部６２２の背面図である。（実施例１−４）
【図１０】図９に記載の取付部６２２のＡ−Ａ'線断面図である。腕６２３の内側部分６２７の内面６３１が概ねに凹形状又はＵ形状の面６３９を有することを示す断面６８０はグレーに塗られている。（実施例１，２）
【図１１】取付部６２２の平面図である。（実施例１−４）
【図１２】取付部６２２の底面図である。（実施例１−４）
【図１３】取付部６２２の分解図である。（実施例１−４）
【図１４】取付部６２２の保持部６２３である腕６２３の外側部分６２６と，送風部３０１と，の間にある可動な部分の動きを説明する図である。（実施例１，２，４）
【図１５】取付部６２２の保持部６２３である腕６２３の外側部分６２６と，内側部分６２７と，の間を開閉することができることを示す図である。（実施例１，２）
【図１６】取付部分６２２に設けられた３つの足６３２が机面６００に接触した状態で，扇風機３００を机面６００の上に立たせた状態の図である。（実施例１，２）
【図１７】送風部３０１が送風する気流が人体６０９の頭部とヘルメット６４０との間の隙間６３５に流入することを示す図である。（実施例１，３，４）
【図１８】取付部６２２を襟６２１に取り付けた状態のままで支持部２１０から棒状体３０８を着脱できることを示す図である。（実施例１）
【図１９】人体６０９の頭部の首に着けられたタオル７００によって支持される取付部６２２によって支持される送風部３０１から送風される気流が前記頭部の前記首へ向けて送風されている状態で，タオル７００に含まれる水が前記送風部３０１へ流入することが防止されることを示す図である。（実施例２，３）
【図２０】タオル７００又はストール７００の全体形状と端部７０３の位置関係を説明する図である。端部７０３はグレーに塗られている。（実施例２）
【図２１】頭巾７２０又はバンダナ７２０の全体形状と端部７２３の位置関係を説明する図である。端部７２３はグレーに塗られている。（実施例２）
【図２２】スカーフ７４０，ネッカチーフ７４０，首まわりに着ける布製品７４０，気化させる水を含ませるための布製品７４０，吸水性ポリマーを含む布製品７４０又は吸水性ポリマーを格納した布製品７４０の全体形状と端部７４３の位置関係を説明する図である。袋状部７６０に吸水性ポリマーを格納することができる。端部７４３はグレーに塗られている。（実施例２）
【図２３】タオル７００，バンダナ７２０又はスカーフ７４０によって取付部６２２を吊持した状態の斜視図である。（実施例２）
【図２４】タオル７００によって取付部６２２を吊持した状態の斜視図である。（実施例２）
【図２５】タオル７００によって取付部６２２を吊持した状態の斜視図である。（実施例２）
【図２６】タオル７００によって取付部６２２が支持された状態でタオル７００と取付部６２２とを互いに逆方向へ引っ張ることによりタオル７００と取付部６２２とが相互にスライドすることを示す図である。（実施例２）
【図２７】タオル７００と取付部６２２とを相互にスライドさせることによって送風部３０１と頭部の首との間の距離を調整できることを示す図である。（実施例２）
【図２８】タオル７００によって取付部６２２を吊持した状態の正面図および背面図である。端部７０３のそれぞれは腕６２３の外側部分６２６と内側部分６２７によって保持されている。取付部６２２の左側部分６２２Ｌと右側部分６２２Ｒはタオル７００の左側端部７０３Ｌと右側端部７０３Ｒをそれぞれ保持している。取付部６２２はタオル７００の左側端部７０３Ｌと右側端部７０３Ｒを左右対称に保持している。この場合，腕６２３はタオル７００を保持する保持部６２３である。（実施例２）
【図２９】タオル７００によって取付部６２２を吊持した状態の正面図および背面図である。タオル７００の端部７０３のそれぞれは穴６３８のそれぞれを通過している。取付部６２２の左側部分６２２Ｌと右側部分６２２Ｒはタオル７００の左側端部７０３Ｌと右側端部７０３Ｒをそれぞれ保持している。取付部６２２はタオル７００の左側端部７０３Ｌと右側端部７０３Ｒを左右対称に保持している。この場合において，穴６３８を形成する穴形状形成部６３８はタオル７００を保持する保持部６３８である。（実施例２）
【図３０】図１に記載のヘルメット６４０の縁６４１を保持する取付部６４２の正面図である。（実施例１）
【図３１】図３０のＢ−Ｂ'線断面図である。断面はグレーで塗られている。（実施例１）
【図３２】図１に記載のヘルメット６４０の縁６４１を保持する取付部６４２の斜視図である。（実施例１）
【図３３】図１に記載のヘルメット６４０の縁６４１を保持する取付部６４２の斜視図である。（実施例１）
【図３４】図７から１２に記載の取付部６２２の正面，平面及び左側面を表す斜視図である。（実施例１−４）
【図３５】図７から１２に記載の取付部６２２の正面，底面及び左側面を表す斜視図である。（実施例１−４）
【図３６】図７から１２に記載の取付部６２２の背面，平面及び左側面を表す斜視図である。（実施例１−４）
【図３７】図７から１２に記載の取付部６２２の背面，底面及び左側面を表す斜視図である。（実施例１−４）
【発明を実施するための形態】
【００２１】
実施例１から４において開示された実施形態である装置Ｘ１からＸ１４は「衣服，シャツ，身に着けられる布製品，タオル，ストール，ネッカチーフ，スカーフ，頭巾，バンダナ，首まわりに着ける布製品，気化させる水を含ませるための布製品，吸水性ポリマーを含む布製品，および吸水性ポリマーを格納した布製品からなる群から選ばれた布製品に取り付け可能な取付部と送風部とを備えた装置」である。よって，これら装置のそれぞれは，「紐以外の布製品に取り付けることが困難である特許文献１に記載の装置の欠点」を克服する。
【００２２】
さらに，次の参考文献１から６と比較することにより，実施例１から４において開示された実施形態である装置Ｘ１からＸ１４の進歩性を以下に詳細に説明する。
参考文献１：特開２００６−４６３１０号公報
参考文献２：中国特許出願公開第１０７５３２６０３号明細書
参考文献３：特開２０１３−２５３５９０号公報
参考文献４：国際公開番号ＷＯ２０１５／０２５３５９
参考文献５：Ｕｎｉｔｅｄ  Ｓｔａｔｅｓ  Ｄｅｓｉｇｎ  Ｐａｔｅｎｔ  Ｎｏ．：  ＵＳ  Ｄ８２４，０１２  Ｓ
参考文献６：特開２００８−１３５９９７号公報
【００２３】
実施例１では，衣服，シャツ等を用いた実施形態である装置Ｘ１からＸ６を開示する。実施例２では，タオル，ネッカチーフ，スカーフ，頭巾，バンダナ等を用いた実施形態である装置Ｘ７からＸ１２を開示する。実施例３では水を含む布製品を用いた実施形態である装置Ｘ１３を開示する。実施例４では衣服，シャツ等を用いた実施形態である装置Ｘ１４を開示する。実施例５では，装置Ｘ１からＸ１４のいずれかの装置に用いる取付部６２２からなる取付装置Ｘ１５を開示する。本発明に使用可能な装置は装置Ｘ１からＸ１５に限定されない。本発明に使用可能な装置は装置Ｘ１からＸ１５が有する全ての効果を有する必要はない。本発明に使用可能な取付部は以下に説明される実施形態である取付部６２２に限定されない。本発明に使用可能な取付部は取付部６２２が有する全ての効果を有する必要はない。本発明に使用可能な扇風機は以下に説明される実施形態である扇風機３００に限定されない。本発明に使用可能な扇風機は扇風機３００が有する全ての効果を有する必要はない。
【実施例１】
【００２４】
図１は，布製品６２０（衣服，シャツ，上着，身に着けられる布製品など）に取り付けることができる取付部６２２と，前記取付部６２２によって支持される送風部３０１と，を備え，人体６０９に着用された前記布製品６２０によって前記取付部６２２が支持された状態で前記送風部３０１が気流を送風する装置の実施形態である。前記人体６０９に着用された前記布製品６２０は前記人体６０９に着けられている。
【００２５】
取付部６２２の構造は図７から１２及び３４から３７に開示されている。図１に示す実施形態では，送風部３０１を支持する取付部６２２が上着６２０の襟６２１に掛けられている。上着６２０は着用物である。上着６２０は身に着けられる布製品である。上着６２０は衣服である。シャツを上着６２０として着用することができる。シャツは上半身に着ける布製品である。上着６２０の内側とは上着６２０と人体６０９の間にある空間である。着用物の内側とは前記着用物と人体の間にある空間である。上着６２０と人体６０９との間の隙間６３６は上着６２０の内側である。この開示において，「襟」は上着から頭部を露出させるために上着に設けられた縁である。例えば，Ｔシャツに頭部を通過させるための穴の縁も襟である。
【００２６】
この開示において人体６０９は上着６２０とヘルメット６４０を着用している。しかし，人体６０９はヘルメット６４０を必ずしも着用していなくてよい。人体６０９がヘルメット６４０を着用していない場合は，ヘルメット６４０に関係する効果は必ずしも得られなくてよい。
【００２７】
図２に示す実施形態では，取付部６２２は保持部６２３である腕６２３を備える。腕６２３は上着６２０の縁６２１又は襟６２１を保持する。腕６２３は外側部分６２６と内側部分６２７を備える。内側部分６２７は上着６２０と人体６０９の間に挿入される。人体６０９が人体６０９と上着６２０の間に下着６５５（これは上着６２０とは異なる別の布製品である）を着用しているときは，腕６２３の内側部分６２７は上着６２０と下着６５５の間又は下着６５５と人体６０９の間に挿入されている。
【００２８】
この開示において，「上着」は布製品である。「下着」は上着と人体の間に着けられた布製品である。人体は下着を必ずしも着用していなくてよい。この開示における実施形態を以下においてさらに詳細に説明する。
【００２９】
腕６２３の内側部分６２７は上着６２０の内側から上着６２０又は下着６５５に接触する。腕６２３の外側部分６２６は上着６２０の外側から上着６２０に接触する。
【００３０】
取付部６２２の保持部６２３である腕６２３で上着６２０を上着６２０の外側と内側から抱持する又は挟持する又は摘まむ又はクリップする又は固定することにより，取付部６２２は襟６２１を保持する。このため，人体６０９が上着６２０を着用した状態のままで，取付部６２２を簡単に上着６２０に着脱できる。腕６２３が上着６２０を保持するときは，腕６２３は保持部６２３である。腕６２３が上着６２０を抱持するときは，腕６２３は抱持部６２３とみなされてもよい。腕６２３が上着６２０を挟持するときは，腕６２３は挟持部６２３とみなされてもよい。腕６２３が上着６２０を摘まむときは，腕６２３は摘持部６２３とみなされてもよい。腕６２３が上着６２０をクリップするときは，腕６２３はクリップ部６２３とみなされてもよい。
【００３１】
図２に示された取付部６２２は風向調整部であるウイング６２４を備える。
【００３２】
腕６２３はウイング６２４を支持する。図２に示された実施形態では，腕６２３の外側部分６２６と腕６２３の内側部分６２７の間の連結部分６８３はウイング６２４を支持する。
【００３３】
図２に示すように，取付部６２２は送風部３０１を支持する。送風部３０１は腕６２３の外側部分６２６によって支持される。腕６２３の外側部分６２６に回動可能又は回転可能に設けられた支持部２１０を介して，送風部３０１は腕６２３の外側部分６２６によって支持される。
【００３４】
図３に示すように，腕６２３とウイング６２４を備える取付部６２２は上着６２０によって支持される。上着６２０によって支持される取付部６２２の腕６２３の外側部分６２６によって支持される送風部３０１は上着６２０によって支持される。送風部３０１は上着６２０に接触していないため，上着６２０を水で濡らした場合であっても上着６２０に含まれる水が送風部３０１へ流入することが防止されている。上着６２０を水で濡らした場合であっても，送風部３０１が水によって故障することなく送風部３０１は気流の送風を継続する。
【００３５】
取付部６２２のウイング６２４は上着６２０の縁６２１又は襟６２１の上に配置される。風向調整部であるウイング６２４の風向調整面６２５は送風部３０１に向けられている。ウイング６２４は送風部３０１と人体６０９（例えば，首又は頭部又は背中又は上半身）の間に配置される。
【００３６】
腕６４３とウイング６４４を備える取付部６４２はヘルメット６４０によって支持される。図１及び３において，ヘルメット６４０によって支持される取付部６４２は送風部を支持しない。ヘルメット６４０は着用物である。ヘルメット６４０は頭部着用物である。取付部６４２の構造は図３０から３３に開示されている。
【００３７】
図３に示すように，人体６０９の頭部によって着用される着用物であるヘルメット６４０の縁６４１を保持する腕６４３の内側部分６４７はヘルメット６４０と人体６０９の頭部の間に挿入される。
【００３８】
腕６４３の内側部分６４７はヘルメット６４０の内側からヘルメット６４０に接触する。腕６４３の外側部分６４６はヘルメット６４０の外側からヘルメット６４０に接触する。
【００３９】
取付部６４２の腕６４３でヘルメット６４０をヘルメット６４０の外側と内側から抱持する又は挟持する又は摘まむ又はクリップする又は固定することにより，取付部６４２は縁６４１を保持する。このため，人体６０９がヘルメット６４０を着用した状態のままで，取付部６４２を簡単にヘルメット６４０に着脱できる。また，ヘルメット６４０に取付部６４２を貼着又は定着することもできる。
【００４０】
図３に示すように，取付部６４２のウイング６４４はヘルメット６４０の縁６４１の下に配置される。風向調整部であるウイング６４４の風向調整面６４５は送風部３０１に向けられている。ウイング６４４は人体６０９（首又は頭部）と送風部３０１の間に位置する。送風部３０１はヘルメット６４０から離れた位置に配置され，送風部３０１が送風する気流をウイング６４４に向けて送風する。
【００４１】
送風部３０１は上着６２０の外側に配置され，送風部３０１が送風する気流をウイング６２４及び人体６０９（首や頭部）へ同時に向けている。
【００４２】
図２及び３に示すように，送風部３０１の角度を外面６２８に対して傾けるように支持部２１０が送風部３０１を支持し，送風部３０１から斜め上に向けて気流が送風される。このため，送風部３０１が送風する気流が腕６２３の外側部分６２６の外面６２８に対して当たった後の気流の向きは上方向に向かいやすくなる。これにより，人体６０９の顔や頭部に風が届きやすくなる効果をこの実施形態は有する。
【００４３】
図３に示された実施形態は，上着６２０の襟６２１によって支持される送風部３０１が送風する気流を，上着６２０を保持する取付部６２２のウイング６２４とヘルメット６４０を保持する取付部６４２のウイング６４４の両方に対して同時に送る。
【００４４】
図３に示すように，ウイング６２４は上着６２０の縁６２１又は襟６２１を保持する腕６２３の上に配置される。送風部３０１から送風される気流はウイング６２４の風向調整面６２５に対して当たる。ウイング６２４によって気流の一部は上着６２０の内側へ導かれる。
【００４５】
図３に示すように，送風部３０１から送風される気流は上着６２０の縁６２１又は襟６２１を上着６２０の外側から保持する外側部分６２６の外面６２８及び外面６２８の周辺にある上着６２０の外側表面の両方に対して同時に当たる。これにより，気流の一部は上着６２０の外側表面へ送風される。
【００４６】
図３に示すように，ウイング６４４はヘルメット６４０の縁６４１を保持する腕６４３の下に配置される。送風部３０１から送風される気流はウイング６４４の風向調整面６４５に対して当たる。ウイング６４４によって気流の一部はヘルメット６４０の内側へ導かれる。
【００４７】
図３に示すように，送風部３０１から送風される気流はヘルメット６４０の縁６４１をヘルメット６４０の外側から保持する外側部分６４６の外面６４８及び外面６４８の周辺にあるヘルメット６４０の外側表面の両方に対して同時に当たる。これにより，気流の一部はヘルメット６４０の外側表面へ導かれる。これにより，ヘルメット６４０の内側と外側表面の両方からヘルメット６４０が冷却される。
【００４８】
図３に示すように，ウイング６２４／６４４又は外側部分６２６／６４６又は上着６２０又はヘルメット６４０のいずれに対しても当たらなかった気流は直進して人体６０９の首又は頭部に対して当たる。
【００４９】
上記の実施形態は「上着６２０の内側」，「上着６２０の外側表面」，「ヘルメット６４０の内側」，「ヘルメット６４０の外側表面」および「上着６２０とヘルメット６４０の間に露出する人体６０９」へ１つの送風部３０１から同時に気流を送風できる扇風機３００である。また，人体６０９の頭部にヘルメット６４０が着用されていない場合は，上記の実施形態は「上着６２０の内側」，「上着６２０の外側表面」および「上着６２０から露出する人体６０９の頭部」へ１つの送風部３０１から同時に気流を送風できる扇風機３００である。
【００５０】
ヘルメット６４０と人体６０９の頭部の間の隙間６３５が狭い場合であっても，取付部６４２によってヘルメット６４０の内側へ流入する気流の量を増加させる効果をこの実施形態は有する。
【００５１】
図３に記載の取付部６４２は頭部の頭髪と送風部３０１の間に位置する。このため，取付部６４２があることによって頭髪が送風部３０１に接触することを防ぐ場合がある。よって，頭髪が送風部３０１の羽根車３０２に絡まることを防ぐ効果をこの実施形態は有する。
【００５２】
図３に示されたヘルメット６４０を保持する取付部６４２は送風部３０１を支持しないため軽い。このため，ヘルメットが送風部を支持する必要がある参考文献３に記載の送風機と比較して，図３に記載の実施形態はヘルメット６４０を着用する頭部を支える首への負担が軽減される効果を有する。
【００５３】
図４及び５に示すように，腕６２３の内側部分６２７の端には接触部として少なくとも１つの足６３２が設けられている。扇風機３００の取付部６２２の腕６２３の内側部分６２７の内面６３１は人体６０９に向けて概ねに凹形状又はＵ形状の面６３９を有している。
【００５４】
足６３２を人体６０９の表面に接触させて扇風機３００が上着６２０の縁６２１又は襟６２１を保持したときに，人体６０９と内面６３１の間に空洞６３３が形成される。送風部３０１から送風された気流はウイング６２４の風向調整面６２５に対して当たることで空洞６３３へ導かれる。
【００５５】
足６３２を下着６５５の表面に接触させて扇風機３００が上着６２０の縁６２１又は襟６２１を保持したときたときに，下着６５５と内面６３１の間に空洞６３３が形成される。送風部３０１から送風された気流はウイング６２４の風向調整面６２５に対して当たることで空洞６３３へ導かれる。
【００５６】
図６に示すように，空洞６３３に流入した気流は足６３２の穴６３７を通過することによって上着６２０の内側へ流出する。さらに，空洞６３３に流入した気流は複数の足６３２の間の隙間６３４を通過することによって上着６２０の内側へ流出する。その結果，図６に示すように気流は空洞６３３を通過する。
【００５７】
ウイング６２４は空洞６３３へ流入する気流の量を増やす。ウイング６２４は大量の気流が上着６２０の内側へ導かれることを可能にする。
【００５８】
図７から１２は，取付部６２２の図面である。図７から１２に記載の取付部６２２の腕６２３の内側部分６２７の長さをさらに伸ばし，気流が通過する空洞６３３を人体６０９の背中のさらに下まで伸ばす変更によって，気流が上着６２０のさらに奥まで届くようにすることもできる。
【００５９】
さらに，保冷剤を腕６２３の内側部分６２７に格納し，前記保冷剤で空洞６３３を通過する気流を冷却する変更によって，上着６２０の内側へ冷却された気流を導くことができる。
【００６０】
さらに別の可能な変更では，吸水性ポリマー部材を腕６２３の内側部分６２７に格納することで，前記吸水性ポリマー部材に含ませた水の気化熱で空洞６３３を通過する気流を冷却することができる。これによって，上着６２０の内側に冷却された気流を導くことができる。また，取付部６２２に給水タンクを設け，該給水タンクに蓄えた水が空洞６３３の内側で気化するように取付部６２２を変更することができる。例えば，水を前記吸水性ポリマーに補給するための変更又は水を空洞６３３内に噴霧するための変更が可能である。
【００６１】
図１３は扇風機３００の分解図である。取付部６２２の腕６２３の外側部分６２６の外面６２８に支持部２１０が設けられている。支持部２１０は可動部２１５を備える。可動部２１５の軸受となる穴２３３に支持部２１０の棒持部２４４が備える軸を嵌合させることで回動可能な可動部２１５を支持部２１０は備える。
【００６２】
支持部２１０の棒持部２４４の棒持面２４５に回動可能かつスライド可能に挿入された棒状体３０８が送風部３０１を支持する。送風部３０１は蝶番部３０７を介して蝶動可能に棒状体３０８によって支持される。送風部３０１は取付部６２２から回動可能かつスライド可能かつ蝶動可能かつ着脱可能に支持される。
【００６３】
図１３に示すように，送風部３０１に内設された電動機３０３は棒状体３０８の内部に設けられた電源である充電可能なリチウムイオン電池３０４に電気伝導体３１２を介して電気的に接続される。電池３０４の電力により送風部３０１のファンガード３０５に内包された羽根車３０２が駆動されて送風する。電池３０４は電池ケースの蓋３１０によって棒状体３０８に格納されており，棒状体３０８に設けられたスイッチ３０９により電気伝導体３１２への通電状態を制御する。
【００６４】
図１４に示す扇風機３００は，送風部３０１と腕６２３の外側部分６２６の間にある４つの可動な部分３２４／３２５／３２６／３２７を備える。これらを動かすことで，送風部３０１からの気流の向きが調整可能である。
【００６５】
送風部３０１と腕６２３の外側部分６２６の間にある４つの可動な部分３２４／３２５／３２６／３２７の少なくとも１つの可動部を動かすことによって，送風部３０１から風向調整部であるウイング６２４へ向けて送風される気流の向きが調整される。これにより，前記風向調整部によって空洞６３３へ導かれる気流の量が調整される。これにより，上着６２０の内側へ導かれる気流の量を調整することが容易になる。
【００６６】
同時に，送風部３０１と腕６２３の外側部分６２６の間にある４つの可動な部分３２４／３２５／３２６／３２７の少なくとも１つの可動部を動かすことによって，送風部３０１から上着６２０の外側表面へ向けて送風される気流の向きが調整される。これにより，上着６２０の外側表面に対して当たる気流の量を調整することが容易になる。
【００６７】
送風部３０１と腕６２３の外側部分６２６の間にはスライド可能な部分（図１４に記載の矢印３２６が示す動き）がある。これにより，取付部６２２が上着６２０の襟６２１を図１，３又は１７のように保持したときに前記スライド可能な部分３２６をスライドさせることによって送風部３０１の高さが調整可能である。
【００６８】
送風部３０１と腕６２３の外側部分６２６の間にある可動な部分の数を増やす変更又は減らす変更をしてもよい。送風部３０１と取付部６２２の間に設けてよい可動部は上記の形態に限定されない。当業者が利用可能なあらゆる形態を前記可動部として利用してよい。
【００６９】
図１５に示すように，取付部６２２の腕６２３は弾性のある部材でできている。適度な力６８７を加えることによって，腕６２３の外側部分６２６と内側部分６２７の間の空間６８６を開閉できる。
【００７０】
弾性のある部材を腕６２３に用いることによって，腕６２３のクリップで挟み込んだ着用物を適度な圧力で押さえつけるように調整できる。腕６２３の部材として用いるための素材としてポリマーや金属を用いてよい。図１５に示すように，腕６２３を１つのポリマー製の部品として射出成形により製造できる。別の形態としては，参考文献２の図１５のクリップのように，外側部分６２６と内側部分６２７を別々の部品として成形してそれら部品を組み合わせることにより腕６２３を製造することもできる。また，金属製のバネを追加することによって外側部分６２６と内側部分６２７の間の圧力を強めることもできる。
【００７１】
前記ポリマーとしてはポリエチレン，ポリプロピレン，ナイロン，ポリスチレン，ポリ塩化ビニル，ポリメタクリル酸メチル，ポリテトラフルオロエチレン，ポリカーボネート，ポリエチレンテレフタレート，ＡＳ樹脂，ＡＢＳ樹脂，エチレン酸ビコポリマー，アセタール樹脂，酢酸セルロース樹脂，ポリウレタン，ＴＰＵ樹脂，熱可塑性樹脂，熱可塑性ポリウレタンエラストマー，シリコンゴム，合成ゴム，天然ゴム等が好適に用いられる。より好適にはポリプロピレン，ナイロン，ポリ塩化ビニル，ＡＢＳ樹脂を用いて取付部６２２が製造される。最適には，腕６２３はポリプロピレンで製造され，支持部２１０はＡＢＳ樹脂で製造される。
【００７２】
図１６に示す実施形態において，机面６００に接触する足６３２によって支持される腕６２３の上に支持される送風部３０１を備える扇風機３００は机面６００の上に立つ。図１４に記載の可動な部分を動かすことにより送風部３０１の向きをあらゆる方向に向けることができる。
【００７３】
足６３２を机面６００に接触させて扇風機３００を机面６００の上に立たせたときに，腕６２３の内側部分６２７の内面６３１と机面６００の間に空洞６３３ができる。送風部３０１によって送風される気流を風向調整部であるウイング６２４によって空洞６３３へ導くことにより，扇風機３００の真下にある机面６００に気流が当てられる。これにより，机面６００のほぼ全体が冷却又は乾燥される効果をこの実施形態は有する。
【００７４】
図１７に記載のヘルメット６４０は図３に記載のヘルメット６４０を保持する取付部６４２が取り付けられていないヘルメット６４０である。ヘルメット６４０と人体６０９の頭部の間の隙間６３５が十分に広い場合には，送風部３０１から送風される気流の一部が人体６０９の後頭部に対して当たって上昇し隙間６３５の中に流入する。このとき，前記後頭部が風向調整部であるウイング６４４の役割を担う。
【００７５】
図１７に示す実施形態では，取付部６２２を襟６２１に取り付けることで，送風部３０１が上着６２０の襟６２１よりも高い位置に配置される。
【００７６】
図１７に示す実施形態では，送風部３０１はヘルメット６４０の縁６４１に近い位置から縁６４１に向けて気流を送風する。このため，取付部６４２を用いずに扇風機３００を用いた図１７に記載の場合であっても，ヘルメット６４０の内側へ気流を導くことは可能である。
【００７７】
図１７に示す実施形態では，ヘルメット６４０は取付部６４２又は送風部３０１のいずれも支持しないため，ヘルメット６４０が重くなることは全くない。このため，ヘルメットが送風部を支持する必要がある参考文献３に記載の送風機と比較して，図１７に記載の実施形態はヘルメット６４０を着用する頭部を支える首への負担が軽減される効果を有する。
【００７８】
図１７に示す実施形態では，人体６０９によって着用された上着６２０の襟６２１によって支持される取付部６２２によって支持される送風部３０１が送風する気流が人体６０９の頭部が着用するヘルメット６４０と前記頭部の間の隙間６３５に流入する。これにより，気流はヘルメット６４０の内側へ導かれる。
【００７９】
図１８に示す実施形態では，人体６０９が着用する上着６２０の襟６２１を保持する取付部６２２の支持部２１０によって着脱可能に支持される棒状体３０８によって支持される送風部３０１を備える扇風機３００は取付部６２２を襟６２１に取り付けた状態のままで支持部２１０から棒状体３０８を離脱させることにより棒状体３０８を手持ち部とする手持ち式の携帯扇風機６１６となる。
【００８０】
図１に記載のヘルメット６４０の縁６４１を保持する取付部６４２の構造を図３０から３３に示す。取付部６４２の湾曲するウイング６４４の風向調整面６４５から延びる概ねに凹形状又はＵ形状の面６３９によって，ヘルメット６４０と取付部６４２の間に気流が通過するための空洞６３３が形成される。
【００８１】
これにより，送風部３０１から送風される気流がヘルメット６４０の内側へ安定的に導かれる効果をこの実施形態は有する。
【００８２】
ヘルメット６４０に取付部６４２を取り付ける方法はクリップのように縁６４１に留める方法に限らない。
【００８３】
例えば，取付部６４２をヘルメット６４０に粘着性の部材やテープを介して貼り付けてもよい。また，ヘルメット６４０の内側にある部材やヘルメット６４０を頭部に固定するためのベルトに取付部６４２を取り付ける又は吊るす方法でもよい。また，ヘルメット６４０の内側にある部材に係止された布状体又はシート状体を風向調整部として用いてもよい。また，ヘルメット６４０の内側にある部材に吊るされた布状体又はシート状体を風向調整部として用いてもよい。また，ヘルメット６４０を頭部に固定するためのベルトに吊るされた布状体若しくはシート状体を風向調整部として用いてもよい。
【００８４】
上着６２０の襟６２１から支持される送風部３０１から送風される気流をヘルメット６４０内に導くための風向調整部となる形状をヘルメット６４０の縁６４１の形状として設けてもよい。
【００８５】
人体６０９が着ける着用物によって支持される腕６２３／６４３は内面６２９／６３１／６４９／６５１と外面６２８／６３０／６４８／６５０を備える。
【００８６】
人体６０９が着ける着用物によって支持される腕６２３／６４３が有する面のうち，内面６２９／６３１／６４９／６５１は人体６０９の方向を向く面である。
【００８７】
人体６０９が着ける着用物によって支持される腕６２３／６４３が有する面のうち，外面６２８／６３０／６４８／６５０は人体６０９とは反対の方向を向く面である。
【００８８】
腕６２３／６４３が着用物によって支持されたときに，前記着用物の外側に配置される腕６２３／６４３の部分６２６／６４６を「腕の外側部分」と呼ぶ。
【００８９】
腕６２３／６４３が着用物によって支持されたときに，前記着用物の内側に配置される腕６２３／６４３の部分６２７／６４７を「腕の内側部分」と呼ぶ。
【００９０】
腕６２３／６４３が着用物の縁６２１／６４１又は襟６２１を保持したときに，前記着用物の外側に配置される腕６２３／６４３の部分６２６／６４６を「腕の外側部分」と呼ぶ。
【００９１】
腕６２３／６４３が着用物の縁６２１／６４１又は襟６２１を保持したときに，前記着用物の内側に配置される腕６２３／６４３の部分６２７／６４７を「腕の内側部分」と呼ぶ。
【００９２】
腕６２３／６４３が着用物を保持したときに，前記着用物は腕６２３／６４３の外側部分６２６／６４６の内面６２９／６４９と腕６２３／６４３の内側部分６２７／６４７の外面６３０／６５０の間に保持される。
【００９３】
腕６２３／６４３の外側部分６２６／６４６の内面６２９／６４９を着用物の縁６２１／６４１又は襟６２１に接触させた状態で，腕６２３／６４３は前記着用物の縁６２１／６４１又は襟６２１を保持する。
【００９４】
腕６２３／６４３の内側部分６２７／６４７の外面６３０／６５０を着用物の縁６２１／６４１又は襟６２１に接触させた状態で，腕６２３／６４３は前記着用物の縁６２１／６４１又は襟６２１を保持する。
【００９５】
送風部３０１は送風の向きが調整可能であるように腕６２３の外側部分６２６から支持される。
【００９６】
扇風機３００は湾曲した板状体の風向調整部であるウイング６２４を備えている。風向調整部の形状はこの実施形態に限定されない。風向調整部として，湾曲する板状体，曲がったパイプなどの管状体，柔軟性のあるホースなどの管状体，曲面のあるノズル，気流の方向を変えるための壁などを用いてよい。扇風機３００が備える腕６２３はウイング６２４を支持する。
【００９７】
ウイング６２４の風向調整面６２５は送風部３０１が発生する気流を上着６２０の外側から上着６２０の内側へ導く。ウイング６２４／６４４は送風部３０１が発生する気流を主流と副流に分流する。
【００９８】
主流はウイング６２４／６４４の風向調整面６２５／６４５に対して当たらない気流である。主流は前記着用物の外側表面および前記着用物の外側に露出する人体６０９の部分（顔，首及び頭部）に対して当たる。
【００９９】
副流はウイング６２４／６４４の風向調整面６２５／６４５に対して当たる気流である。副流の移動方向はウイング６２４／６４４の風向調整面６２５／６４５によって変えられる。
【０１００】
ウイング６２４の風向調整面６２５は副流の移動方向を変えることで副流を空洞６３３の中へ導くことで，副流は着用物の内側に導かれる。
【０１０１】
腕６２３が保持する襟６２１を備える上着６２０が人体６０９によって着用された状態で，腕６２３によって支持される送風部３０１が発生する気流をウイング６２４の風向調整面６２５に対して当てることにより，気流の副流が上着６２０の内側へ導かれる。
【０１０２】
腕６２３が保持する襟６２１を備える上着６２０が人体６０９によって着用された状態で，腕６２３によって支持される送風部３０１が発生する気流をウイング６４４の風向調整面６４５に対して当てることにより，気流の副流がヘルメット６４０の内側に導かれる。
【０１０３】
気流の副流の向きを変えることにより気流の副流を穴６３８に導くための形状をウイング６２４は有する。
【０１０４】
気流の副流の向きを変えることにより気流の副流を空洞６３３の内部に導くための形状をウイング６２４は有する。ウイング６２４／６４４があることにより，上着６２０又はヘルメット６４０の内側に安定的に気流の副流を導くことが可能になる。
【０１０５】
図１に示す実施形態では，送風部３０１は人体６０９又は人体６０９に着けられた上着６２０のどちらにも直接接触することなく取付部６２２によって支持されている。これにより，人体６０９から上着６２０へしみ込んだ汗で上着６２０が濡れている場合であっても，送風部３０１が前記汗に接触することを防ぐ効果をこの実施形態は有する。
【０１０６】
（参考文献との比較）
【０１０７】
参考文献１に記載の装置は，送風機に繋がれたパイプを下着の開口部から該下着の内側へ引き込むことにより，該パイプから下着と人体の間へ気流を送風することができる。
【０１０８】
参考文献２に記載の装置は，クリップでタオル又は服の襟を保持することにより該タオル又は該服によって支持された状態で気流を送風することができる。
【０１０９】
しかし，参考文献１に記載の装置には，「扇風機の取付部を使って服に扇風機を掛けたのち，さらにパイプを服の内側に引き込んで服の中への送風経路を確保する２ステップの作業が必要であるという欠点」がある。これを欠点Ｄ１と呼ぶ 。
【０１１０】
さらに，参考文献１又は２に記載の装置には，「服の内側と外側の両面に同時に風を当てることができないため，汗で濡れた服の水分の蒸発が服の両側から促進されないという欠点」がある。これを欠点Ｄ２と呼ぶ 。
【０１１１】
さらに，参考文献１に記載の装置には，「服の内側へ送風される気流の量と服の外側へ送風される気流の量の配分を調整できないという欠点」がある。これを欠点Ｄ３と呼ぶ 。
【０１１２】
さらに，参考文献２に記載の装置には，「服の内側と服の外側に露出した人体（頭部）の両方に同時に風を当てることができないという欠点」がある。これを欠点Ｄ４と呼ぶ 。
【０１１３】
さらに，参考文献２に記載の装置には，「汗で濡れた人体や服に送風部が接触しており，そのため，汗が送風部にしみ込みやすく故障の原因になりやすという欠点」がある。これを欠点Ｄ５と呼ぶ 。
【０１１４】
（参考文献との比較に基づく進歩性の説明）
上述に開示された実施形態である装置Ｘ１は「
衣服６２０，シャツ６２０，タオル７００，ストール７００，
ネッカチーフ７４０，スカーフ７４０，頭巾７２０，バンダナ７２０
，水を含ませるための布製品７００／７２０／７４０，および
吸水性ポリマーを格納した布製品７４０
からなる群から選ばれた布製品に取り付け可能な取付部６２２と，
前記取付部６２２によって支持される送風部３０１と，
を備え，
人体６０９に着けられた前記布製品
によって前記取付部６２２が支持された状態で
前記送風部３０１が気流を送風する
装置」である。
【０１１５】
前記取付部で前記布製品の襟を挟むという１回の動作で
「前記人体による前記装置の支持」と
「前記布製品の外側に露出した前記人体への気流の経路の確保」と
を同時に達成することが装置Ｘ１によって可能になる。
【０１１６】
上述に開示された実施形態である装置Ｘ２は「
前記取付部６２２が有する少なくとも１つの風向調整部６２４
をさらに備え，前記布製品は
衣服６２０，および
シャツ６２０
からなる群から選ばれた布製品であって，
前記送風部３０１は前記気流を前記風向調整部６２４へ送風でき，
前記送風部３０１は前記気流を前記取付部６２２の外側部分６２６へ送風でき，かつ，
前記人体６０９に着けられた前記布製品
によって前記取付部６２２が支持された前記状態で
前記風向調整部６２４が前記気流を前記布製品の内側へ導く
装置Ｘ１に記載の装置」である。
【０１１７】
前記取付部で前記布製品の襟を挟むという１回の動作で
「前記人体による前記装置の支持」と
「前記布製品の外側に露出した前記人体への気流の経路の確保」と
「前記布製品の内側への気流の経路の確保」と
「前記布製品の外側表面への気流の経路の確保」と
を同時に達成することが装置Ｘ２によって可能になる。
【０１１８】
装置Ｘ２は上述の欠点Ｄ１とＤ２とＤ４とＤ５を克服する。よって，装置Ｘ２には参考文献に対して進歩性がある。
【０１１９】
上述に開示された実施形態である装置Ｘ３は「
前記取付部６２２が有する少なくとも１つの風向調整部６２４
をさらに備え，前記布製品は
衣服６２０，および
シャツ６２０
からなる群から選ばれた布製品であって，
前記送風部３０１は前記気流を前記風向調整部６２４へ送風でき，
前記人体６０９に着けられた前記布製品
によって前記取付部６２２が支持された前記状態で
前記送風部３０１は前記気流を前記布製品の外側表面へ送風でき，かつ，
前記人体６０９に着けられた前記布製品
によって前記取付部６２２が支持された前記状態で
前記風向調整部６２４が前記気流を前記布製品の内側へ導く
装置Ｘ１に記載の装置」である。
【０１２０】
前記取付部で前記布製品の襟を挟むという１回の動作で
「前記人体による前記装置の支持」と
「前記布製品の外側に露出した前記人体への気流の経路の確保」と
「前記布製品の内側への気流の経路の確保」と
「前記布製品の外側表面への気流の経路の確保」と
を同時に達成することが装置Ｘ３によって可能になる。
【０１２１】
装置Ｘ３は上述の欠点Ｄ１とＤ２とＤ４とＤ５を克服する。よって，装置Ｘ３には参考文献に対して進歩性がある。
【０１２２】
上述に開示された実施形態である装置Ｘ４は「
前記取付部６２２が有する少なくとも１つの風向調整部６２４と，
前記取付部６２２に備えられた保持部６２３と，
前記保持部６２３と前記送風部３０１との間に設けられた可動部２１５／３０７／３２４／３２５／３２６／３２７と，
をさらに備え，
前記布製品は
衣服６２０，および
シャツ６２０
からなる群から選ばれた布製品であって，
前記保持部６２３は前記布製品を保持することができ，  
前記可動部２１５／３０７／３２４／３２５／３２６／３２７を動かすことによって
前記気流の向きが調整可能であり，かつ，
前記人体６０９に着けられた前記布製品
によって前記取付部６２２が支持された前記状態で
前記風向調整部６２４が前記気流を前記布製品の内側へ導く
装置Ｘ１に記載の装置」である。
【０１２３】
前記取付部で前記布製品の襟を挟むという１回の動作で
「前記人体による前記装置の支持」と
「前記布製品の外側に露出した前記人体への気流の経路の確保」と
「前記布製品の内側への気流の経路の確保」と
「前記布製品の内側への気流の量の調整」と
「前記布製品の外側表面への気流の量の調整」と
を同時に達成することが装置Ｘ４によって可能になる。
【０１２４】
装置Ｘ４は上述の欠点Ｄ１とＤ２とＤ３とＤ４とＤ５を克服する。よって，装置Ｘ４には参考文献に対して進歩性がある。
【０１２５】
上述に開示された実施形態である装置Ｘ５は「
前記取付部６２２が有する少なくとも１つの風向調整部６２４と，
前記取付部６２２が有する少なくとも１つの接触部６３２と，
をさらに備え，
前記布製品は
衣服６２０，および
シャツ６２０
からなる群から選ばれた布製品であって，
前記人体６０９に着けられた前記布製品
によって前記取付部６２２が支持された前記状態で
前記風向調整部６２４が前記気流を前記布製品の内側へ導き，かつ，
前記人体６０９の表面に前記接触部６３２が接触した状態で
前記風向調整部６２４によって導かれた前記気流が
前記取付部６２２と前記表面との間を通過する
装置Ｘ１に記載の装置」である。
【０１２６】
前記取付部で前記布製品の襟を挟むという１回の動作で
「前記人体による前記装置の支持」と
「前記布製品の外側に露出した前記人体への気流の経路の確保」と
「前記布製品の内側への気流の経路の確保」と
「前記人体と前記人体が着用する下着の間への気流の経路の確保」と
「前記人体と前記取付部の間の空間の汗蒸れの防止」と
を同時に達成することが装置Ｘ５によって可能になる。
【０１２７】
装置Ｘ５は上述の欠点Ｄ１とＤ４とＤ５を克服する。よって，装置Ｘ５には参考文献に対して進歩性がある。
【０１２８】
上述に開示された実施形態である装置Ｘ６は「
前記取付部６２２が有する少なくとも１つの風向調整部６２４と，
前記取付部６２２が有する少なくとも１つの接触部６３２と，
をさらに備え，
前記布製品は
衣服６２０，および
シャツ６２０
からなる群から選ばれた布製品であって，
前記人体６０９に着けられた前記布製品
によって前記取付部６２２が支持された前記状態で
前記風向調整部６２４が前記気流を前記布製品の内側へ導き，かつ，
前記人体６０９に着けられた別の布製品の表面
に前記接触部６３２が接触した状態で
前記風向調整部６２４によって導かれた前記気流が
前記取付部６２２と前記表面との間を通過する
装置Ｘ１に記載の装置」である。
【０１２９】
前記取付部で前記布製品の襟を挟むという１回の動作で
「前記人体による前記装置の支持」と
「前記布製品の外側に露出した前記人体への気流の経路の確保」と
「前記布製品の内側への気流の経路の確保」と
「前記布製品と前記人体が着用する下着の間への気流の経路の確保」と
「前記人体と前記取付部の間の空間の汗蒸れの防止」と
を同時に達成することが装置Ｘ６によって可能になる。
【０１３０】
装置Ｘ６は上述の欠点Ｄ１とＤ４とＤ５を克服する。よって，装置Ｘ６には参考文献に対して進歩性がある。
【実施例２】
【０１３１】
図１９は，布製品（タオル，ネッカチーフ，スカーフ，頭巾，バンダナ，ストール，サークルストール，首まわりに着ける布製品，肩に掛ける布製品，気化させる水を含ませるための布製品，吸水性ポリマーを含む布製品，吸水性ポリマーを格納した布製品など）に取り付け可能な取付部６２２と，取付部６２２によって支持される送風部３０１と，を備え，人体６０９に着用された前記布製品によって取付部６２２が支持された状態で送風部３０１が気流を送風する装置の実施形態である。人体６０９に着用された前記布製品は人体に着けられた前記布製品である。
【０１３２】
ここに開示する実施例では，上記に列挙された布製品を代表するものとして「タオル」を用いて説明する。以下の説明において，「タオル」を「ネッカチーフ」，「スカーフ」，「頭巾」，「バンダナ」，「ストール」，「サークルストール」，「肩に掛ける布製品」，「首まわりに着ける布製品」，「気化させる水を含ませるための布製品」，「吸水性ポリマーを含む布製品」，「吸水性ポリマーを格納した布製品」のいずれかに置き換えても，同様の効果が得られる。日本の「てぬぐい」など，実質的にタオルとして使用可能な布製品はタオルである。
【０１３３】
一般的にタオルやストールは図２０のタオル７００に示すように長方形をしている。しかし，本実施例の布製品として用いてよいタオルやストールは長方形に限定されない。ストールは首の周辺又は肩に掛けて使用される布製品の総称である。
【０１３４】
頭巾又はバンダナとしては図２１に示すように四角い布製品又は折り畳んだ布製品を用いてよい。また，人体の頭部の形状にフィットする形状の布製品又は頭上に被りやすいような形状に加工された布製品を頭巾又はバンダナとして用いてよい。本実施例の布製品として用いてよい頭巾又はバンダナは図２１の形状に限定されない。バンダナは頭部の周辺に巻いて使用する布製品の総称である。頭巾は頭部に被って使用する布製品の総称である。
【０１３５】
スカーフやネッカチーフとしては首の周りに着けやすい形状の布製品を使用することができる。例えば図２２に示す形状の布製品は首に巻きやすいため，スカーフやネッカチーフとして使用してよい。例えば，図２２に示す布製品の袋状部７６０に吸水性ポリマーを格納することで，「吸水性ポリマーを含む布製品」や「吸水性ポリマーを格納した布製品」を製造することができる。本実施例の布製品として用いてよいスカーフやネッカチーフは図２２の形状に限定されない。
【０１３６】
タオル７００及び上着６２０の素材としては繊維製の織物が好適に用いられる。タオル７００及び上着６２０に用いてよい繊維としては，綿や麻などの植物繊維や，絹や羊毛やアルパカやカシミアなどの動物繊維や，レーヨンやキュプラなどの再生繊維や，アセテートなどの半合成繊維や，ポリエステルやアクリルやポリエチレンテレフタレートやナイロンなどの合成繊維が用いられる。植物繊維としては綿が最適に用いられる。合成繊維としてはポリエステルが最適に用いられる。タオル７００及び上着６２０の素材として用いてよい繊維は上記に限定されない。これらの素材を用いて「気化させる水を含ませるための布製品」を製造できる。また，不織布をタオル７００及び上着６２０として用いてもよい。
【０１３７】
吸水性ポリマーとしては，高い水分保持機能を有しているポリマーであれば，いかなるものを用いてもよい。例えば，吸水性ポリマーとしてポリアクリル酸ナトリウム系の高吸水性ポリマーを最適に用いる。また，デンプンまたはセルロースとカルボキシル基，スルホン酸基などの親水基を含有する水溶性単量体および／または加水分解により水溶性となる単量体と，架橋剤とを必須成分として重合させ，必要により加水分解を行うことによって得られる吸水性ポリマーを用いることもできる。吸水性ポリマーを粒子状又は微細なパウダー状にして布製品に内包することにより，ポリマーの吸水効率を高くすることができ短時間に水分を吸収させることができる。例えば，参考文献４を参考にすることで，「気化させる水を含ませるための布製品」，「吸水性ポリマーを含む布製品」，「吸水性ポリマーを格納した布製品」を製造することができる。
【０１３８】
図２０に記載のタオル７００の中心７０１はタオル７００の重心に位置している。タオル７００の中心７０１から端部７０３までの距離７０４は１５ｃｍである。
【０１３９】
図２０に記載のタオル７００の端部７０３の長さ７０５は１０ｃｍより長い。長さ７０５が１５ｃｍより長ければ扇風機３００がタオル７００に取り付けやすくなる効果を実施形態は有する。長さ７０５が２０ｃｍより長ければ扇風機３００を端部７０３でスライドさせやすくなる効果を実施形態は有する。このため，送風部３００から人体６０９の首までの距離を調整できる効果を実施形態は有する。
【０１４０】
フェイスタオルとして使用可能なタオル７００の幅７１１は，一般的には５ｃｍ以上であり，市販のフェイスタオルのほとんどは１５ｃｍ以上４５ｃｍ以下であり，平均は３４ｃｍ前後である。
【０１４１】
フェイスタオルとして使用可能なタオル７００の長さ７１０は，一般的には４０ｃｍ以上であり，市販のフェイスタオルのほとんどは５０ｃｍ以上９０ｃｍ以下であり，平均は７６ｃｍ前後である。本実施例に用いるタオル７００としては市販のフェイスタオルを最適に用いる。
【０１４２】
この実施形態において，市販の平均的なフェイスタオルをタオル７００として用いることは，タオル７００に扇風機３００を取り付けることを容易にし，扇風機３００とタオル７００を相互にスライドさせることも容易にする。このため，送風部３０１から人体６０９の首までの距離を調整しやすくする効果を実施形態は有する。
【０１４３】
図１９から２９において２つの端部７０３はグレーに塗られている。これは２つの端部７０３の位置関係を分かりやすく図示するためである。実際のタオル７００において中間部７０２と端部７０３が塗分けられている必要はない。
【０１４４】
タオル７００の中間部７０２を人体６０９の首に掛けたときに，タオル７００の左右にある端部７０３は人体６０９の胸の前に垂れ下がるように配置される。前記首に掛けられたタオル７００は前記首に着用された布製品である。前記首に着用された布製品は前記首に着けられている。前記首に着けられた布製品は前記人体に着けられている。
【０１４５】
本実施例に用いる取付部６２２として，図７から１２に記載の取付部６２２を最適に用いる。取付部６２２と送風部３０１を備えた扇風機３００としては，図１３から１６に記載の扇風機３００を最適に用いる。
【０１４６】
図１９から２７に示すように，取付部６２２の左上と右上に左右対称に設けられた穴６３８のそれぞれに，タオル７００の左右にある端部７０３のそれぞれを，通過させる。穴６３８が左右対称に２つ設けられていることにより，それぞれの穴６３８に端部７０３のそれぞれを通過させることが容易化される。通過させた２つの端部７０３が左右対称に取付部６２２を支持する。これにより，２つの端部７０３は扇風機３００をバランスよく支持する。
【０１４７】
図２に示すように，穴６３８は取付部６２２の腕６２３と足６３２とウイング６２４によって形成されており，穴６３８の縦幅は約１ｃｍで横幅は約４ｃｍである。別の実施形態としては，２つの穴６３８の間を隔てる壁を取り除く改造を行うことによって，縦幅約１ｃｍで横幅約８ｃｍの１つの穴を２つの穴６３８の代わりとしてもよい。この場合には，この１つの穴に両方の端部７０３を通過させることによって，２つの端部７０３は扇風機３００を同様に支持する。腕６２３と足６３２とウイング６２４によって形成される穴形状形成部６３８は穴６３８の形状を画定する。前記穴形状形成部６３８は扇風機３００に少なくとも１つの穴形状を形成する部分である。前記穴形状形成部６３８はタオル７００を通過させる部分である。前記穴形状形成部６３８が形成する穴の形状は図２に示された穴６３８の形状に限定されない。前記穴形状形成部６３８が形成する穴は取付部６２２，送風部３０１，支持部２１０，又は扇風機３００の上のどこに位置してもよい。
【０１４８】
これにより，図２９に示すように，市販のフェイスタオル（幅３４ｃｍ程度，長さ７６ｃｍ程度）であるタオル７００の端部７０３を穴６３８に通過させたときに，穴６３８が端部７０３を締め付ける。この締め付けによって，端部７０３と穴６３８との間に摩擦力が発生することにより，タオル７００の端部７０３によって穴形状形成部６３８が安定的に支持される。
【０１４９】
タオル７００として薄い布製品を用いた場合など，端部７０３と穴６３８との間に十分な摩擦力が得られない場合には，図２３から２５に示すように，２つの端部７０３のそれぞれを腕６２３によって保持する。これにより，タオル７００の２つの端部７０３の両方から取付部６２３がしっかりと支持される効果を実施形態は有する。
【０１５０】
これにより，タオル７００の左右にある端部７０３のそれぞれから取付部６２２の穴６３８のそれぞれを吊り下げることで，タオル７００によって取付部６２２が着脱可能に支持される。
【０１５１】
図１９に示すように，タオル７００と取付部６２２によって形成される環構造に人体６０９の首を通過させることによってタオル７００が首から吊持される。タオル７００によって支持される取付部６２２が送風部３０１を支持することによって，人体６０９の首に掛けられたタオル７００によって送風部３０１が吊持される効果をこの実施形態は有する。
【０１５２】
図１９に示すように，人体６０９が着用する上着６２０の表面又はタオル７００の端部７０３の表面に取付部６２２の足６３２（又は接触部）が接触することによって取付部６２２の向きが安定化する。
【０１５３】
上記効果の相乗効果によって，タオル７００によって支持される扇風機３００の送風部３０１から送風される気流を人体６０９の首およびタオル７００に向けて安定的に送風する効果をこの実施形態は有する。また，別の可能な実施形態として，棒状体３０８の代わりに参考文献５に記載の円柱形の躯体を用いてもよい。前記円柱形の躯体を着脱可能に支持できる形状の支持部２１０を取付部６２２に設けることによって，装置Ｘ１からＸ１４を製造してもよい。また，装置Ｘ１からＸ１４に記載の取付部と同等の特徴を有する形状を参考文献５に記載の前記円柱形の躯体に設けることによって前記装置を製造してもよい。
【０１５４】
図２６および２７に示すように，端部７０３と穴６３８との間に働く摩擦力よりも大きな力を手で加えることにより端部７０３と取付部６２２を互いに逆方向へ引っ張ることによって端部７０３と取付部６２２が相互にスライドする。これにより，送風部３０１と人体６０９の首との間の距離が調整可能になる効果をこの実施形態は有する。
【０１５５】
水を含ませたタオル７００に送風部３０１から送風される気流を当てることによって，タオル７００に含まれる水の気化が促進される。この気化促進によって，タオル７００から奪われる熱量が増大化される。このため，タオル７００の冷却が前記気流によって促進される。これにより，タオル７００が掛けられている首を冷却する効果が増大化される。さらに，タオル７００に当たった気流も水の気化によって冷却される。このため，冷却された気流と冷却されたタオル７００の両方によって人体６０９が冷却される効果をこの実施形態は有する。
【０１５６】
図２３から２５に示すように，送風部３０１と取付部６２２とを容易に離脱可能である。このため，タオル７００に水を含ませるためにタオル７００を水に浸す際には，送風部３０１をタオル７００から外しておくことができる。これにより，誤って送風部３０１を濡らしてしまう事故をこの実施形態は防止する。
【０１５７】
（参考文献との比較に基づく進歩性の説明）
参考文献６の図８に記載の装置の移動係留体２９は，吊り紐から携帯電話をスライド可能に吊持することができる。しかし，参考文献６の図８に記載の装置の紐を水で濡らした場合に，該紐から滴り落ちる水が電子機器である携帯電話に流入して携帯電話が故障する恐れがある。
参考文献６の図８に記載の装置の紐をタオルに置き換えることは困難である。タオルは紐よりも大量の水を含むことができる。もし，水で濡れたタオルと移動係留体とを相互にスライドさせると，移動係留体がタオルを締め付けることによってタオルが絞られるため，絞り出された水が携帯電話に滴り落ちやすい。
これに対し，図１９から２９に記載の実施形態の送風部３０１はタオル７００に接触していない。これにより，タオル７００に含まれる水が送風部３０１へ流入することが防止されている。以下に説明される実施形態である装置Ｘ７からＸ１２の送風部３０１はタオル７００から滴り落ちる水に濡れない。 よって，タオル７００を水で濡らした場合であっても，送風部３０１が水によって故障することなく送風部３０１は気流の送風を継続する。以下，水の流入を防ぐこの効果を「防水効果」とよぶ。
すなわち，装置Ｘ７からＸ１２は「扇風機を首に吊るすためのタオルから扇風機への水の流入を防止する」という新規な課題を解決する。参考文献２の発明者らは濡れたタオルから扇風機への水の流入を防ぐ必要性に想到できていない。よって，装置Ｘ７からＸ１２は参考文献２又は６に記載の装置と比較して進歩性がある。
【０１５８】
上述に開示された実施形態である装置Ｘ７は「
前記布製品は
タオル７００，ストール７００，ネッカチーフ７４０，
スカーフ７４０，バンダナ７２０，
水を含ませるための布製品７００／７２０／７４０，および
吸水性ポリマーを格納した布製品７４０
からなる群から選ばれた布製品であって，
前記布製品が前記取付部６２２から着脱可能であり，
前記送風部３０１が前記取付部６２２から着脱可能であり，かつ，
前記人体６０９の首に着けられた前記布製品
によって前記取付部６２２が支持された状態で
前記送風部３０１が前記気流を前記布製品へ送風できる
装置Ｘ１に記載の装置」である。
装置Ｘ１は実施例１において詳細に説明されている。
【０１５９】
上述の段落０１５７に記載されている防水効果により，装置Ｘ７は前記布製品を水で濡らした場合でも送風部３０１が水で故障することなく送風を継続する。よって，装置Ｘ７は参考文献２又は６に記載された装置と比較して進歩性を有する。さらに装置Ｘ７は以下の顕著な効果を有する。
【０１６０】
一般的に，水を含んだタオルのように濡れた布製品の端部に扇風機を取り付けることは，特許文献１の図２に記載の乾いた紐に扇風機を取り付けることよりも困難である。
【０１６１】
一般的に，タオルは紐よりも幅と厚みがある。このため，人間の手を使った手作業でタオルを狭い穴や狭い隙間に入れることは，紐を入れることよりも遥かに困難である。特に，タオルが水で濡れているときは，水が扇風機に流入する恐れがある。
【０１６２】
例えば，図１９に示すように，幅と厚みがあるタオルを取付部６２２の穴６３８に通過させる作業をするときや，タオルを外側部分６２６と内側部分６２７の間に保持させる作業をするときは，タオルの幅と厚みを掴む人間の手が送風部３０１にぶつかるため，前記作業が紐の取り付けよりも遥かに困難になる。特に，タオルが水で濡れているときは，タオルを手で強く握ることによってタオルから絞り出された水が扇風機に流入する恐れがある。
【０１６３】
装置Ｘ７は，「取付部６２２からタオル７００が着脱可能であり，かつ，取付部６２２から送風部３０１が着脱可能である」という二重離脱機能を有することによって上記の困難を克服する。図２３から２５に示すように，送風部３０１を取付部６２２から離脱させた状態で濡れたタオル７００に取付部６２２を支持させることが装置Ｘ７によって可能になる。
【０１６４】
これにより，前記取り付け作業を容易化かつ安全化する顕著な効果をこの実施形態は有する。この効果を特許文献１から予測することは困難である。よって，装置Ｘ７には進歩性がある。
【０１６５】
また，この取り付け作業中に誤って送風部３０１を落下させる危険性を取り除く効果をこの実施形態は有する。幅と厚みのある濡れたタオルを取り付ける作業は乾いた紐を取り付ける作業よりも遥かに困難である。特に，水は取付部６２２を滑りやすくする。このため，作業中に邪魔になりやすい送風部３０１を取り外しておくことで，この作業中に取付部６２２と送風部３０１を落下させる危険性が著しく低下する。
【０１６６】
また，この二重離脱機能によって，この実施形態に取り付けられたタオル７００を水で濡らす作業中に，送風部３０１を水で濡らしてしまう事故を防ぐ効果をこの実施形態は有する。
【０１６７】
図２３から２５に示すように，タオル７００は取付部６２２にしっかりと固定されている。一般的に，タオルと取付部との間の取り付け作業及び取り外し作業には時間がかかるという欠点がある。装置Ｘ７の二重離脱機能によって該欠点が克服される。
【０１６８】
すなわち，取付部６２２からタオル７００を取り外すことなく，送風部３０１を取付部６２２から簡単に外すことができる。これにより，送風部３０１を水で濡らすことなく，タオル７００を水で濡らす作業が簡単にできる効果をこの実施形態は有する。
【０１６９】
さらに，タオル７００を水で濡らす作業を何度も繰り返しても，タオル７００に取付部６２２がしっかりと取り付けられた状態が維持される。このため，落下防止の安全性が大きく向上する効果をこの実施形態は有する。
【０１７０】
上述に開示された実施形態である装置Ｘ８は「
前記布製品は
タオル７００，ストール７００，ネッカチーフ７４０，
スカーフ７４０，バンダナ７２０，
水を含ませるための布製品７００／７２０／７４０，および
吸水性ポリマーを格納した布製品７４０
からなる群から選ばれた布製品であって，
前記人体６０９の首に着けられた前記布製品
によって支持された前記取付部６２２
によって支持された前記送風部３０１が
前記布製品に接触していない状態で
前記送風部３０１が前記気流を前記布製品へ送風できる
装置Ｘ１に記載の装置」である。
【０１７１】
装置Ｘ８の効果は以下の通りである。
【０１７２】
扇風機３００の送風部３０１には電動機３０３などの「濡らしてはいけない電子部品」が含まれている。このため，タオル７００を水で濡らした場合には，タオル７００に含まれる水が送風部３０１に接触しないように，送風部３０１とタオル７００の間に十分な距離が保たれる必要がある。
【０１７３】
図１９に示すように，装置Ｘ８はタオル７００と送風部３０１の間に取付部６２２を有する。これにより，送風部３０１はタオル７００に直接接触することなく取付部６２２を介してタオル７００によって間接的に支持される。すなわち，送風部３０１がタオル７００から離れている状態を保つように送風部３０１は取付部６２２によって支持される。このため，タオル７００に含まれる水が送風部３０１の中へ流入することを防ぐ効果をこの実施形態は有する。
【０１７４】
これに対し，参考文献２の図２１に記載の扇風機では，送風部がある本体がタオルに直接接触している。このため，参考文献２に記載の扇風機はタオルから送風部へ流入する水によって故障する恐れがある。参考文献２の発明者らは濡れたタオルから扇風機への水の流入を防ぐ必要性に想到できていない。
【０１７５】
よって，「前記送風部が前記布製品に接触していない」という特徴を有する装置Ｘ８は，参考文献２に記載の扇風機と比べて進歩性がある。
【０１７６】
上述に開示された実施形態である装置Ｘ９は「
前記取付部６２２と前記送風部３０１との間に設けられた可動部２１５／３０７／３２４／３２５／３２６／３２７をさらに備え，
前記布製品は
タオル７００，ストール７００，ネッカチーフ７４０，
スカーフ７４０，バンダナ７２０，
水を含ませるための布製品７００／７２０／７４０，および
吸水性ポリマーを格納した布製品７４０
からなる群から選ばれた布製品であって，
前記布製品が前記取付部６２２から着脱可能であり，
前記可動部２１５／３０７／３２４／３２５／３２６／３２７を動かすことによって
前記気流の向きが調整可能であり，かつ，
前記人体６０９の首に着けられた前記布製品
によって支持された前記取付部６２２
によって支持された前記送風部３０１が
前記人体６０９に着けられた衣服６２０に接触していない状態で
前記送風部３０１が前記気流を前記布製品へ送風できる
装置Ｘ１に記載の装置」である。
【０１７７】
装置Ｘ９の効果は以下の通りである。
【０１７８】
図１９に示すように，使用者の首に掛けたタオル７００に装置Ｘ９の扇風機３００を取り付けることによりタオル７００に含まれる水が気化される。また，使用者が机６００の前に座ったときには，扇風機３００をタオル７００から取り外して，図１６に示すように，扇風機３００を机６００の上に置くことができる。このとき，装置Ｘ９の可動部があることによって送風部３０１を使用者の首に掛けたタオル７００に向けることができる。これにより，タオル７００に含まれる水が気化され続ける。
【０１７９】
このように，装置Ｘ９は 使用者の首に着けられたタオル７００へ上記の２通りの方法で気流を送風することができる。これにより，使用者の首にかかる負担を大きく軽減する効果をこの実施形態は有する。
【０１８０】
すなわち，「机６００の前に座っている使用者の首に扇風機３００の重みによる負担をかけることなく，タオル７００に含まれる水の気化を促進し続ける効果」をこの実施形態は有する。
【０１８１】
また，図１９に示すように，送風部３０１は人体６０９に着けられた上着６２０（これは衣服６２０である）に接触せずに支持されている。これにより，タオル７００に含まれる水が上着６２０にしみ込んで上着６２０が水で濡れている場合であっても，送風部３０１が上着６２０に含まれる水に接触することを防ぐ効果をこの実施形態は有する。
【０１８２】
これに対し，参考文献２に記載の扇風機は使用者が着る上着に直接接触する。このため，参考文献２に記載の扇風機には上着に含まれる水が扇風機に流入しやすいという欠点がある。また，机面に置かれた参考文献２に記載の扇風機は机の前に座った使用者の首に掛けられたタオルに向けて送風の向きを調整することは困難である。このため，参考文献２に記載の扇風機は，使用者が机の前に座ったときでも，使用者の首に掛けたタオルに取り付けられ続けている必要がある。このため，参考文献２に記載の扇風機には使用者の首に扇風機の重量がかかり続けるという欠点がある。
【０１８３】
上記の効果を参考文献２に記載の扇風機から想到することは困難である。よって，装置Ｘ９には進歩性がある。
【０１８４】
上述に開示された実施形態である装置Ｘ１０は「
前記布製品は
タオル７００，ストール７００，ネッカチーフ７４０，
スカーフ７４０，頭巾７２０，バンダナ７２０，
水を含ませるための布製品７００／７２０／７４０，および
吸水性ポリマーを格納した布製品７４０
からなる群から選ばれた布製品であって，
前記布製品が前記取付部６２２から着脱可能であり，かつ，
前記人体６０９の頭部に着けられた前記布製品
によって前記取付部６２２が支持された状態で
前記布製品と前記取付部６２２とを互いに逆方向へ引っ張ることにより
前記布製品と前記取付部６２２とを相互にスライドさせることによって
前記送風部３０１と前記人体６０９の前記頭部との間の距離が調整可能である
装置Ｘ１に記載の装置」である。ただし，前記頭部は前記人体の首から上の部分であり，前記首を含む。
【０１８５】
上述の段落０１５７に記載されている防水効果により，前記布製品を水で濡らした場合でも送風部３０１を水で濡らすことなく送風部３０１をスライドできる装置Ｘ１０は参考文献２又は６に記載された装置と比較して進歩性を有する。さらに装置Ｘ１０は以下の顕著な効果を有する。
【０１８６】
図１９に示された装置Ｘ１０の取付部６２２の取り付けモードの１つを図２６に示す。タオル７００の両方の端部７００は取付部６２２の穴６３８を通過している。また，タオル７００の両方の端部７０３は取付部６２２の腕６２３によって抱持されている。このため，タオル７００と取付部６２２とを互いに逆方向へ人体６０９の手によって強く引っ張った場合でも，タオル７００から取付部６２２が離脱することなく，タオル７００と取付部６２２とが相互にスライドされる。
【０１８７】
図２８に示された別の取り付けモードでは，タオル７００の両方の端部７０３は穴６３８を通過することなく腕６２３によって抱持されている。このモードでタオル７００と取付部６２２とを互いに逆方向へ強く引っ張った場合でも，タオル７００から取付部６２２が離脱することなく，タオル７００と取付部６２２とが相互にスライドされる。
【０１８８】
図２９に示された別の取り付けモードでは，タオル７００の両方の端部７０３は腕６２３によって抱持されることなく穴６３８を通過している。このモードでタオル７００と取付部６２２とを互いに逆方向へ強く引っ張った場合でも，タオル７００から取付部６２２が離脱することなく，タオル７００と取付部６２２とが相互にスライドされる。このモードでは，穴６３２を形成する穴形状形成部６３２はタオル７００を保持する保持部６３２である。
【０１８９】
以上のいずれの取り付けモードにおいても，図２７に示すように，「頭部に着けられたタオル７００によって取付部６２２が支持された状態でタオル７００と取付部６２２とを互いに逆方向へ人体６０９の手によって引っ張ることによりタオル７００と取付部６２２とを相互にスライドさせることによって送風部３０１と前記頭部との間の距離を調整すること」ができる（以下，「スライド調整効果」とよぶ）。
【０１９０】
タオル７００が厚い場合は，装置Ｘ１０及びＸ１１の取付部６２２は段落０１４８および図２９に記載の取り付けモードでタオル７００を保持する。タオル７００が薄い場合は，取付部６２２は段落０１４９および図２６に記載の取り付けモードでタオル７００を保持する。このような２種類の保持方法を提供することにより，装置Ｘ１０及びＸ１１は厚さが様々に異なるタオルを保持する（以下，「厚さ調整効果」とよぶ）。
【０１９１】
さらに，装置Ｘ１０及びＸ１１の取付部６２２はタオル７００を着脱可能に保持する（以下，「着脱効果」とよぶ）。
【０１９２】
一方，参考文献２の図２１に記載のクリップ式扇風機は，首に掛けたタオルに取り付け可能な扇風機である。首に掛けたタオルの両端を胸の前で重ね合わせて該タオルに環構造を形成させる。その重ね合わせた部分を該扇風機のクリップで留めることによりその環構造を固定する。それによって，該扇風機が首に掛けられる。
【０１９３】
参考文献２の図２１では，前記タオルの重なり合う両端をクリップで留めることによって，前記重なり合う両端の間に摩擦力を発生させている。この摩擦力によって前記タオルの環構造は維持されている。もし，この重なり合う位置とクリップで留める位置とが少しでもズレると，この摩擦力が働かなくなって前記タオルの環構造が崩壊してしまう。
【０１９４】
このため，参考文献２の図２１に記載のクリップ式扇風機には，タオルの両端が重なり合う位置とそれらを留めるクリップの位置とが少しでもズレると，該タオルと扇風機が首から落下してしまうという欠点がある。さらに，該扇風機とタオルとを互いに逆方向へ強く引っ張ると，環構造がすぐに崩壊してしまうという欠点が参考文献２に記載の扇風機にある。
【０１９５】
よって，参考文献２に記載の扇風機には，首に掛けられたタオルから該扇風機が支持された状態を保ちながらタオルと該扇風機を互いに逆方向へ引っ張ることで該扇風機と首の間の距離を調整することは大変困難であるという欠点がある。
【０１９６】
装置Ｘ１０は上記の欠点を克服する。装置Ｘ１０の４つの効果（防水効果，スライド調整効果，厚さ調整効果，着脱効果）を同時に有する装置を参考文献２および６から想到することは困難である。よって，装置Ｘ１０は進歩性がある。
【０１９７】
上述に開示された実施形態である装置Ｘ１１は「
前記布製品は
タオル７００，ストール７００，ネッカチーフ７４０，
スカーフ７４０，頭巾７２０，バンダナ７２０，
水を含ませるための布製品７００／７２０／７４０，および
吸水性ポリマーを格納した布製品７４０
からなる群から選ばれた布製品であって，
前記布製品が前記取付部６２２から着脱可能であり，かつ，
前記取付部６２２の左側部分６２２Ｌと右側部分６２２Ｒが
前記布製品の左側端部７０３Ｌと右側端部７０３Ｒをそれぞれ保持する
装置Ｘ１に記載の装置」である。
【０１９８】
上述の段落０１５７に記載されている防水効果により，前記布製品を水で濡らした場合でも送風部３０１を水で濡らすことなく送風部３０１と頭部との間の距離が調整可能な装置Ｘ１１は参考文献２又は６に記載された装置と比較して進歩性を有する。さらに装置Ｘ１１は以下の顕著な効果を有する。
【０１９９】
図２６から２９に示すように，装置Ｘ１１が備える取付部６２２の左側部分６２２Ｌと右側部分６２２Ｒはタオル７００の左側端部７０３Ｌと右側端部７０３Ｒをそれぞれ保持している。
【０２００】
このため，図２６から２７に示される実施形態は，「取付部６２２をタオル７００の端部７０３に沿って上又は下へ移動させて，送風部３０１と頭部との間の距離を調整可能にする効果」を有する（以下，「距離調整効果」とよぶ）。
【０２０１】
図２６に示すように，装置Ｘ１１では，タオル７００の左右の端部７０３が互いにクロスすることなく，取付部６２２が左右の端部７０３を左右対称に支持している。このため，取付部６２２をタオル７００の端部７０３に沿って上又は下へ移動させても，力学的安定性が変わることなく安定に支持され続けるという効果をこの実施形態は有する。
【０２０２】
一方，参考文献２の図２１では，タオルの左右の端部が互いにクロスしている。よって，扇風機のクリップはタオルの左右の端部を左右対称に保持していない（参考文献２の図２１では，クロスする部位において左側端部が右側端部の上に重なっており，クロスする部位は左右対称ではない）。このため，参考文献２の図２１では，タオルのクロスする非対称の部位を乗り越えて扇風機を上下にスライドさせることが困難である。
【０２０３】
装置Ｘ１１は上記の欠点を克服する。装置Ｘ１１の４つの効果（防水効果，距離調整効果，厚さ調整効果，着脱効果）を同時に有する装置を参考文献２および６から想到することは困難である。よって，装置Ｘ１１は進歩性がある。
【０２０４】
上述に開示された実施形態である装置Ｘ１２は「
少なくとも１つの穴形状を形成する穴形状形成部をさらに備え，
前記布製品は
タオル７００，ストール７００，ネッカチーフ７４０，
スカーフ７４０，バンダナ７２０，
水を含ませるための布製品７００／７２０／７４０，および
吸水性ポリマーを格納した布製品７４０
からなる群から選ばれた布製品であって，かつ，
前記人体６０９の首に着けられた前記布製品が
前記穴形状形成部を通過している状態で
前記送風部３０１が前記気流を前記布製品へ送風できる
装置Ｘ１に記載の装置」である。
【０２０５】
上述の段落０１５７に記載されている防水効果により，前記布製品を水で濡らした場合でも送風部３０１が水で故障することなく送風を継続する装置Ｘ１２は参考文献６に記載された装置と比較して進歩性を有する。 さらに装置Ｘ１２は以下の顕著な効果を有する。
図２３から２７及び２９に示すように，装置Ｘ１２の取付部６２２は穴６３８を有し，タオル７００を穴６３８に通過させている。これにより，取付部６２２と端部７０３とを互いに逆方向へ引っ張った場合でも，穴６３８によって取付部６２２を端部７０３から離脱させない効果をこの実施形態は有する（以下，「離脱防止効果」とよぶ）。
【０２０６】
また，図２９に示すように，穴６３８によって取付器具６２２はタオル７００から支持されている（以下，「支持効果」とよぶ）。
【０２０７】
さらに，図１９及び２７に示すように，穴６３８は送風部３０１の正面に位置している。それぞれの端部７０３の位置がそれぞれの穴６３８によって適切な位置に固定されている。これにより，送風部３０１から送風される気流が穴６３８から露出する端部７０３へ安定的に当たる。その結果，タオル７００に含まれる水が安定的に気化され続ける（以下，「水気化安定化効果」とよぶ）。
【０２０８】
これに対し，参考文献２の図２１に記載の扇風機では，該扇風機の上側に送風口が位置し，該扇風機の下側にクリップが位置しており，この下側のクリップでタオルを挟む。このため，参考文献２の扇風機は送風口の近くにタオルを位置させ続けることが困難である。よって，参考文献２の扇風機は風をタオルに向けて安定的に送風することができない。よって，参考文献２の扇風機は水の気化を安定的に促進させる効果を得ることができない。
【０２０９】
装置Ｘ１２の「穴６３８のサイズ，穴６３８の形状および穴６３８の位置」を図２９に示されるように適切に決定することによって，この実施形態は「防水効果」と「離脱防止効果」と「支持効果」と「水気化安定化効果」を同時に得ることができる。これらの相乗効果を参考文献２に記載の扇風機から想到することは困難である。よって，装置Ｘ１２には進歩性がある。
【実施例３】
【０２１０】
図１，３，１７および１９に示された実施形態である装置Ｘ１３は「
前記布製品に水を含ませてから前記人体６０９に着けられた前記布製品
によって前記取付部６２２が支持された状態で
前記水が前記布製品から前記送風部３０１へ流入することが防止される
装置Ｘ１に記載の装置」である。
【０２１１】
図１，３，１７および１９に記載の実施形態の送風部３０１は人体６０９に着けられた布製品に接触していない。取付部６２２と送風部３０１との間に可動部２１５／３０７／３２４／３２５／３２６／３２７が設けられており，送風部３０１が前記布製品から離れている。これにより，前記布製品に含まれる水が送風部３０１へ流入することが防止されている。前記布製品を水で濡らした場合であっても，装置Ｘ１３の送風部３０１は前記布製品から滴り落ちる水に濡れない。よって，前記布製品を水で濡らした場合であっても，送風部３０１が水によって故障することなく送風部３０１は気流の送風を継続する。
すなわち，装置Ｘ１３は「濡れた布製品に取り付けられた扇風機への水の流入を防止する」という新規な課題を解決する。参考文献１又は２の発明者らは濡れたタオルや服から扇風機への水の流入を防ぐ必要性に想到できていない。よって，装置Ｘ１３は参考文献１又は２に記載の装置と比較して進歩性がある。
【実施例４】
【０２１２】
図１７に示された実施形態である装置Ｘ１４は「
前記取付部６２２に備えられた保持部６２３と，
前記保持部６２３と前記送風部３０１との間に設けられた
スライド可能な可動部３２６と，
をさらに備え，
前記布製品は
衣服６２０，および
シャツ６２０，
からなる群から選ばれた布製品であって，
前記保持部６２３は前記布製品を保持することができ，かつ，
前記人体６０９に着けられた前記布製品の縁６２１
によって前記取付部６２２が支持された状態で
前記可動部３２６をスライドさせることによって
前記送風部３０１の高さが調整可能である
装置Ｘ１に記載の装置」である。
【０２１３】
送風部３０１と腕６２３の外側部分６２６の間にはスライド可能な可動部３２６（図１４に記載の矢印３２６が示す動き）がある。これにより，取付部６２２が上着６２０の襟６２１又は縁６２１を図１７のように保持したときに前記スライド可能な可動部３２６をスライドさせることによって送風部３０１の高さが調整可能である。
【０２１４】
これにより，襟６２１の高さが様々に異なる上着６２０に取付部６２２を取り付けたときでも，送風部３０１の高さが適切な位置に調整可能になる効果をこの実施形態は有する。
【０２１５】
さらに，襟６２１の高さが様々に異なる上着６２０にこの実施形態の取付部６２２を取り付けたときでも，送風部３０１とヘルメット６４０の縁６４１との間の距離が調整可能である。このため，ヘルメット６４０と頭部の間の隙間６３５へ流入する気流の量を調整できる効果をこの実施形態は有する。この効果は図１７に示されるように取付部６４２がヘルメット６４０に取り付けられていない場合でも得られる。
【０２１６】
この実施形態は，可動部３２６をスライドさせることによって，送風部３０１を上着６２０の襟６２１よりも高い位置に支持することができる。
【０２１７】
図１７に示すように，送風部３０１が有する羽根車３０２が襟６２１よりも高い位置にあるように取付部６２２は送風部３０１を支持する。つまり，羽根車３０２の最も高い部位が襟６２１の最も高い部位よりも高い位置にあるように取付部６２２は送風部３０１を支持する。
【０２１８】
羽根車３０２が襟６２１よりも高い位置にあることによって，送風部３０１の羽根車３０２は首の後方から首の前方へ向けて気流を送風することができる。これにより，気流が首の後ろから頬の横を通過して顔の前方へ遠ざかるように吹き抜ける。このため，顔の前に煙がある場合に，煙を顔から遠ざけて，煙が鼻から吸い込まれることを防ぐ効果をこの実施形態は有する。上着６２０の襟６２１の高さが低い場合であっても，可動部３２６をスライドさせることにより，送風部３０１を適切な高さに調整することによって，この効果が得られる。この効果は人体６０９がヘルメット６４０を着用していなくても得ることができる。
【０２１９】
また，羽根車３０２が襟６２１よりも高い位置にあることによって，送風部３０１はヘルメット６４０の縁６４１に近い位置から縁６４１に向けて気流を送風することができる。これにより，ヘルメット６４０と人体６０９の頭部との間の隙間６３５に流入する気流の量を増加させる効果をこの実施形態は有する。
【０２２０】
可動部３２７をスライドさせることにより送風部３０１をヘルメット６４０に近づければ近づけるほど，隙間６３５へ流入する気流の量は増加するため，人体６０９が感じる快適さの程度は増加する。しかし，送風部３０１をヘルメット６４０に近づけすぎると，ヘルメット６４０と送風部３０１が頻繁に衝突するようになるため，人体６０９が感じる快適さの程度は減少する。可動部３２６を適度にスライドさせることによって，送風部３０１の高さを適切な位置（ヘルメット６４０にぶつからない位置で，ヘルメット６４０になるべく近い位置）に調整可能である。これにより，可動部３２６をスライドさせることによって人体６０９が感じる快適さの程度が最大化されるという顕著な効果をこの実施形態は有する。この顕著な効果を参考文献１又は２に記載の装置から予測することは困難である。よって，装置Ｘ１４には進歩性がある。
【０２２１】
一方，参考文献１又は２に記載の装置は，襟の高さに対する送風装置の高さを調整できない。このため，参考文献１又は２に記載の装置は該装置を取り付けることができるシャツが限定されてしまうという欠点がある。
【０２２２】
装置Ｘ１４は文献１又は２に記載の装置の欠点を克服し，かつ，予測が困難な顕著な効果を有することから，装置Ｘ１４には進歩性がある。
【０２２３】
また，図１７に示すように，送風部３０１と上着６２０との間に可動部３２６が存在するため，送風部３０１は上着６２０に接触していない。このため，上着６２０を水で濡らした場合であっても，送風部３０１が水によって故障することなく送風部３０１は気流の送風を継続する。よって，前記布製品が水を含んだときでも前記送風部が前記気流の送風を継続する装置Ｘ１４には進歩性がある。
【実施例５】
【０２２４】
図７に示された取付部６２２からなる取付装置６６６によって，手持ち式の携帯扇風機６１６を装置Ｘ１からＸ１４として使うことが可能になる。
【産業上の利用可能性】
【０２２５】
開示された実施形態のいくつかは，人体に着用可能な送風装置として使用することができる。
【符号の説明】
【０２２６】
２１０  支持部（図１−４，６−８，１０−１２，１４−１９，２３，２７，３４−３７）
２１５  支持部２１０の可動部（図７−９，１４，３４−３７）
２３３  支持部２１０の可動部２１５の軸受となる穴（図７，９，１２）
２４４  支持部２１０の棒持部（図２，４，７，８，１０−１８，２３，３４−３７）
２４５  支持部２１０の棒持部２４４の棒持面（図７，１０−１３，３４−３７）
３００  扇風機（図２，４，５，１５，１６，１８）
３０１  扇風機３００の送風部（図１−４，１４−１９，２７）
３０２  扇風機３００の送風部３０１ の羽根車（図１３）
３０３  扇風機３００の送風部３０１ の電動機（図１３）
３０４  扇風機３００の電源である電池（図１３）
３０５  扇風機３００の送風部３０１ のファンガード（図１−５，１３，１４，１７）
３０７  扇風機３００の蝶番部又は可動部（図１３，１４）
３０８  扇風機３００の棒状体（図１−６，１３−１９，２７）
３０９  扇風機３００のスイッチ（図５，１３）
３１０  扇風機３００の電池ケースの蓋（図１３，１４）
３１２  扇風機３００の電気伝導体（図１３）
３２０  ファンガード３０５の部品の結合を示す矢印（図１３）
３２１  蓋３１０と棒状体３０８の結合を示す矢印（図１３）
３２２  棒状体３０８が回動可能かつスライド可能に支持部２１０の棒持部２４４の棒持面２４５によって支持されることを示す矢印（図１３）
３２３  支持部２１０の棒持部２４４が備える軸を支持部２１０の軸受となる穴２３３に通過させることで棒持部２４４を回動可能に設けられていることを示す矢印（図１３）
３２４  扇風機３００の送風部３０１ と棒状体３０８とを蝶着する蝶番部３０７（可動部３０７）の蝶動を示す矢印（可動部の動き）（図１４）
３２５  扇風機３００の棒状体３０８を回動可能に支持する支持部２１０の棒持部２４４の棒持面２４５における棒状体３０８の回動を示す矢印（可動部の動き）（図１４）
３２６  扇風機３００の棒状体をスライド可能に支持する支持部２１０の棒持部２４４の棒持面２４５における棒状体３０８のスライド運動を示す矢印（スライド可能な可動部の動き）（図１４）
３２７  腕６２３の外側部分６２６と棒持部２４４との間の回動を示す矢印（可動部の動き）（図１４）
６００  机面（図１６）
６０９  上着６２０を着用する人体（図１，３，１７−１９，２７）
６１６  手持式機器又は手持ち式の携帯扇風機（図１８）
６２０  人体６０９が着用する上着（図１，３，１７−１９，２７）
６２１  上着６２０の縁又は襟（図１，３，１７，１８）
６２２  上着６２０の襟６２１を保持できる取付部（図１−１９，２３−２９，３４−３７）
６２２Ｌ  取付部６２２の左側部分（図２６，２８，２９）
６２２Ｒ  取付部６２２の右側部分（図２６，２８，２９）
６２３  取付部６２２の腕又は保持部（図１−５，８−１０，１２−１６，２３−２５，３４−３７）
６２４  取付部６２２の風向調整部又はウイング（図１，２，４−９，１１，１２，１５−１８，３４−３７）
６２５  取付部６２２のウイング６２４の風向調整面（図２，６−８，１２，１５，１７，３４，３５）
６２６  取付部６２２の腕６２３の外側部分（図１−３，７，８，１０，１３−１５，１７，２３−２５，３４−３７）
６２７  取付部６２２の腕６２３の内側部分（図２，４，５，７−１０，１２，１５，１６，２３−２５，３４−３７）
６２８  取付部６２２の腕６２３の外側部分６２６の外面（図２，３，７，８，１０，１２，１４，１７，３４−３５）
６２９  取付部６２２の腕６２３の外側部分６２６の内面（図１０，３６，３７）
６３０  取付部６２２の腕６２３の内側部分６２７の外面（図２，７，８，１０，１２，３４，３５）
６３１  取付部６２２の腕６２３の内側部分６２７の内面（図４，５，９，１０，３６，３７）
６３２  取付部６２２の足又は接触部（図２，４，５，７−１０，１２，１６，３４−３７）
６３３  空洞（図４，５，９，１０，３６，３７）
６３４  足６３２の間の隙間（図２，４−１０，１６，３４−３７）
６３５  ヘルメット６４０と人体６０９の頭部との間の隙間（図１，３，６，１７，１８）
６３６  上着６２０と人体６０９との間の隙間（図１，１７，１８）
６３７  腕６２３の内側部分６２７の端に設けられた穴（図２，５−１０，１６，３４−３７）
６３８  穴形状形成部によって形成される穴（図２，４，５，７−９，１６，２３−２５，３４−３７）
６３９  概ねに凹形状又はＵ形状の面（図４，５，９，１０，３６，３７）
６４０  人体６０９が着用するヘルメット（図１，３，６，１７，１８）
６４１  ヘルメット６４０の縁（図１，３，６，１７）
６４２  ヘルメット６４０の縁６４１を保持できる取付部（図１，３，３０−３３）
６４３  取付部６４２の腕（図３０−３３）
６４４  取付部６４２の風向調整部又はウイング（図１，３，３０−３３）
６４５  取付部６４２のウイング６４４の風向調整面（図３，３０−３３）
６４６  取付部６４２の腕６４３の外側部分（図３，３０−３３）
６４７  取付部６４２の腕６４３の内側部分（図３，３０−３３）
６４８  取付部６４２の腕６４３の外側部分６４６の外面（図３０，３２，３３）
６４９  取付部６４２の腕６４３の外側部分６４６の内面（図３１，３３）
６５０  取付部６４２の腕６４３の内側部分６４７の外面（図３０−３３）
６５１  取付部６４２の腕６４３の内側部分６４７の内面（図３２，３３）
６５５  人体６０９と上着６２０との間の下着（図６）
６６６  取付装置（図７，３４−３７）
６８０  概ねに凹形状又はＵ形状の面６３９を有する腕６２３の断面（図１０）
６８３  腕６２３の外側部分６２６と内側部分６２７との間の連結部分（図２，７，８，１５，３４，３５）
６８４  腕６２３の内側部分６２７の両側の端（図５，７，８，９）
６８５  腕６２３の内側部分６２７の先端（図７−９）
６８６  腕６２３の外側部分６２６と内側部分６２７との間の空間（図１５）
６８７  腕６２３の外側部分６２６と内側部分６２７との間の空間６８６を開く力（図１５）
７００  タオル（図１９，２０，２３−２９）
７０１  タオル７００の中心（図２０，２４−２６，２８，２９）
７０２  タオル７００の中間部（図１９，２０，２３−２９）
７０３  タオル７００の端部（図１９，２０，２３−２５，２７）
７０３Ｌ  タオル７００の左側端部（図２６，２８，２９）
７０３Ｒ  タオル７００の右側端部（図２６，２８，２９）
７０４  タオル７００の中心７０１から端部７０３までの距離（図２０）
７０５  タオル７００の端部７０３の長さ（図２０）
７１０  タオル７００の長さ（図２０）
７１１  タオル７００の幅（図２０）
７２０  頭巾又はバンダナ（図２１）
７２１   頭巾又はバンダナ ７２０の中心（図２１）
７２２   頭巾又はバンダナ ７２０の中間部（図２１）
７２３   頭巾又はバンダナ ７２０の端部（図２１）
７２４   頭巾又はバンダナ ７２０の中心７２１から端部７２３までの距離（図２１）
７２５   頭巾又はバンダナ ７２０の端部７２３の長さ（図２１）
７３０   頭巾又はバンダナ ７２０の長さ（図２１）
７３１   頭巾又はバンダナ ７２０の幅（図２１）
７４０  スカーフ又はネッカチーフ（図２２）
７４１  スカーフ７４０の中心（図２２）
７４２  スカーフ７４０の中間部（図２２）
７４３  スカーフ７４０の端部（図２２）
７４４  スカーフ７４０の中心７４１から端部７４３までの距離（図２２）
７４５  スカーフ７４０の端部７４３の長さ（図２２）
７５０  スカーフ７４０の長さ（図２２）
７５１  スカーフ７４０の幅（図２２）
７６０  吸水性ポリマーを格納する袋状部（図２２）
【図１】
2020037933.tif 000003
【図２】
2020037933.tif 000004
【図３】
2020037933.tif 000005
【図４】
2020037933.tif 000006
【図５】
2020037933.tif 000007
【図６】
2020037933.tif 000008
【図７】
2020037933.tif 000009
【図８】
2020037933.tif 000010
【図９】
2020037933.tif 000011
【図１０】
2020037933.tif 000012
【図１１】
2020037933.tif 000013
【図１２】
2020037933.tif 000014
【図１３】
2020037933.tif 000015
【図１４】
2020037933.tif 000016
【図１５】
2020037933.tif 000017
【図１６】
2020037933.tif 000018
【図１７】
2020037933.tif 000019
【図１８】
2020037933.tif 000020
【図１９】
2020037933.tif 000021
【図２０】
2020037933.tif 000022
【図２１】
2020037933.tif 000023
【図２２】
2020037933.tif 000024
【図２３】
2020037933.tif 000025
【図２４】
2020037933.tif 000026
【図２５】
2020037933.tif 000027
【図２６】
2020037933.tif 000028
【図２７】
2020037933.tif 000029
【図２８】
2020037933.tif 000030
【図２９】
2020037933.tif 000031
【図３０】
2020037933.tif 000032
【図３１】
2020037933.tif 000033
【図３２】
2020037933.tif 000034
【図３３】
2020037933.tif 000035
【図３４】
2020037933.tif 000036
【図３５】
2020037933.tif 000037
【図３６】
2020037933.tif 000038
【図３７】
2020037933.tif 000039